(57)【要約】  ヘッドギアアセンブリは、長細縁部を備えた第１の可撓性材料のストラップと、長細縁部の周囲に折り畳まれかつ長細縁部に沿って延びる第２の可撓性材料とを含む。第２の可撓性材料は、弾性材料であり得る。第２の可撓性材料はまた、第１の可撓性材料が共に積層されるかまたは端から端まで接合された２つの可撓性材料から構成され得るように、第１の可撓性材料中の交差または接合部を被覆し得る。
2018520801.tif 000002
【特許請求の範囲】
【請求項１】
長細縁部を備えた第１の可撓性材料のストラップと、
前記長細縁部の周囲に折り畳まれかつ前記長細縁部に沿って延びる第２の可撓性材料と、
を含む、ヘッドギアアセンブリ。
【請求項２】
前記第２の可撓性材料は弾性材料である、請求項１に記載のヘッドギアアセンブリ。
【請求項３】
前記第２の可撓性材料は、Ｖ字形状に折り畳まれる、請求項１〜２のうちいずれかに記載のヘッドギアアセンブリ。
【請求項４】
前記第１の可撓性材料は、共に積層されかつ接着された第３の可撓性材料の層および第４の可撓性材料の層を含む、請求項１〜３のうちいずれかに記載のヘッドギアアセンブリ。
【請求項５】
前記第２の可撓性材料は、前記積層された層の縁部が被覆されるように、前記第３の可撓性材料および前記第４の可撓性材料を被覆する、請求項４に記載のヘッドギアアセンブリ。
【請求項６】
前記第３の可撓性材料と前記第４の可撓性材料との間の接着フィルムをさらに含む、請求項４に記載のヘッドギアアセンブリ。
【請求項７】
前記第１の可撓性材料は、織物材料を含む、請求項１〜６のうちいずれかに記載のヘッドギアアセンブリ。
【請求項８】
前記第１の可撓性材料はスペーサ織物である、請求項１〜７のうちいずれかに記載のヘッドギアアセンブリ。
【請求項９】
前記長細縁部は、丸みのある形状である、請求項１〜８のうちいずれかに記載のヘッドギアアセンブリ。
【請求項１０】
前記ストラップは、前記長細縁部と共に前記ストラップの幅を規定する第２の長細縁部を含む、請求項１〜９のうちいずれかに記載のヘッドギアアセンブリ。
【請求項１１】
前記第２の長細縁部の周囲に折り畳まれかつ前記第２の長細縁部に沿って延びる第５の可撓性材料をさらに含む、請求項１０に記載のヘッドギアアセンブリ。
【請求項１２】
前記第２の可撓性材料および前記第５の可撓性材料は、同一の材料である、請求項１１に記載のヘッドギアアセンブリ。
【請求項１３】
前記第２の可撓性材料は、前記ストラップの第１の側部上の幅にわたって延び、前記第２の長細縁部の周囲において前記第２の長細縁部に沿って延びる、請求項１０に記載のヘッドギアアセンブリ。
【請求項１４】
前記第２の可撓性材料は、前記ストラップの第２の側部上の幅全体を被覆しない、請求項１３に記載のヘッドギアアセンブリ。
【請求項１５】
前記第２の可撓性材料は、前記ストラップへ取り付けられる、請求項１〜１４のうちいずれかに記載のヘッドギアアセンブリ。
【請求項１６】
前記第２の可撓性材料は、接着により前記ストラップの２つの側部上へ取り付けられる、請求項１５に記載のヘッドギアアセンブリ。
【請求項１７】
前記ストラップは、呼吸マスク用の接続部を含む、請求項１〜１６のうちいずれかに記載のヘッドギアアセンブリ。
【請求項１８】
前記接続部は、前記呼吸マスクが通過するように構成された穴を含む、請求項１７に記載のヘッドギアアセンブリ。
【請求項１９】
前記穴は、前記呼吸マスクの一部の外周の周囲に延びるように構成される、請求項１８に記載のヘッドギアアセンブリ。
【請求項２０】
前記穴の周囲を包囲するように折り畳まれかつ前記穴の周囲に沿って延びる第６の可撓性材料をさらに含む、請求項１８に記載のヘッドギアアセンブリ。
【請求項２１】
前記第２の可撓性材料および前記第６の可撓性材料は、同一の材料である、請求項２０に記載のヘッドギアアセンブリ。
【請求項２２】
呼吸ガスを加圧して患者へ送達するための患者インターフェースであって、呼吸マスクと、請求項１〜２１のうちいずれかに記載のヘッドギアアセンブリとを含む、患者インターフェース。
【請求項２３】
ヘッドギアアセンブリであって：
第１の端部を備えた第１の可撓性ストラップ部分と；
ストラップを形成するように前記第１の端部へ取り付けられた第２の端部を備えた第２の可撓性ストラップ部分と；
前記第１の端部と前記第２の端部との間の取付部を被覆する被覆材料と、
を含む、ヘッドギアアセンブリ。
【請求項２４】
前記第１の可撓性ストラップ部分および前記第２の可撓性ストラップ部分は、前記ストラップの長細縁部を規定し、前記被覆材料は、前記長細縁部に沿って前記長細縁部上に折り畳まれる、請求項２３に記載のヘッドギアアセンブリ。
【請求項２５】
前記第１の可撓性ストラップ部分および前記第２の可撓性ストラップ部分は、前記ストラップの長細縁部を規定し、前記第１の端部および前記第２の端部は、前記長細縁部を横切る短縁部を規定し、前記被覆材料は、前記短縁部のうち少なくとも１つを被覆する、請求項２３〜２４のうちいずれかに記載のヘッドギアアセンブリ。
【請求項２６】
前記被覆材料は、前記少なくとも１つの短縁部の長さ全体を被覆する、請求項２５に記載のヘッドギアアセンブリ。
【請求項２７】
前記第１の可撓性ストラップ部分および前記第２の可撓性ストラップ部分は、前記ストラップの長細縁部を規定し、前記第１の端部および前記第２の端部は、前記長細縁部を横切る短縁部を規定し、前記被覆材料は、前記短縁部のうち少なくとも１つを被覆し、前記被覆材料は、前記長細縁部に沿って前記長細縁部上に折り畳まれる、請求項２３〜２６のうちいずれかに記載のヘッドギアアセンブリ。
【請求項２８】
前記被覆材料は、前記少なくとも１つの短縁部の長さ全体を被覆する、請求項２７に記載のヘッドギアアセンブリ。
【請求項２９】
前記第１の可撓性ストラップ部分は、前記第２の可撓性ストラップ部分よりも高い伸縮性を有するように構成される、請求項２３〜２８のうちいずれかに記載のヘッドギアアセンブリ。
【請求項３０】
前記第１の可撓性ストラップ部分は弾性であり、前記第２の可撓性ストラップ部分は非弾性である、請求項２３〜２９のうちいずれかに記載のヘッドギアアセンブリ。
【請求項３１】
前記第１の可撓性ストラップ部分は、スペーサ織物を含む、請求項２３〜３０のうちいずれかに記載のヘッドギアアセンブリ。
【請求項３２】
前記第２の可撓性ストラップ部分は、前記第２の端部において材料の２つの層を含み、前記第１の端部は、前記２つの層間に挿入および接続される、請求項２３〜３１のうちいずれかに記載のヘッドギアアセンブリ。
【請求項３３】
前記材料の２つの層のうち１つは、面ファスナの第１の半分を含む、請求項３２に記載のヘッドギアアセンブリ。
【請求項３４】
前記第２の可撓性ストラップ部分は、前記第２の可撓性ストラップ部分を折り曲げて前記面ファスナの前記第１の半分を前記面ファスナの前記第２の半分へ取り付けることができるように構成された面ファスナの第２の半分をさらに含む、請求項３３に記載のヘッドギアアセンブリ。
【請求項３５】
前記材料の２つの層は、前記第２の端部から離隔方向に前記第１の端部を超えて接続される、請求項３２に記載のヘッドギアアセンブリ。
【請求項３６】
前記２つの層は、前記第１の端部が挿入されるＹ字形状を形成する、請求項３５に記載のヘッドギアアセンブリ。
【請求項３７】
前記材料の２つの層は、接着部の層により相互に接続され、前記第１の端部へ接続される、請求項３２に記載のヘッドギアアセンブリ。
【請求項３８】
前記ストラップは、交差してＹ字形状の外形を形成する３本の脚部を含む、請求項２３〜３７のうちいずれかに記載のヘッドギアアセンブリ。
【請求項３９】
前記ストラップへ解放可能に接続された第２のストラップをさらに含む、請求項２３〜３８のうちいずれかに記載のヘッドギアアセンブリ。
【請求項４０】
前記第２のストラップは、呼吸マスク用の接続部を含む、請求項３９に記載のヘッドギアアセンブリ。
【請求項４１】
前記接続部は、前記呼吸マスクが通過するように構成された穴を含む、請求項４０に記載のヘッドギアアセンブリ。
【請求項４２】
前記穴は、前記呼吸マスクの一部の外周の周囲に延びるように構成される、請求項４１に記載のヘッドギアアセンブリ。
【請求項４３】
呼吸ガスを加圧して患者へ送達するための患者インターフェースであって、呼吸マスクと、請求項２３〜４２のうちいずれかに記載のヘッドギアアセンブリとを含む、患者インターフェース。
【請求項４４】
ヘッドギアアセンブリの製造方法であって：
第１の織物から構成されかつ第１の縁部を有する第１のストラップ部を設けることと；
第２の織物から構成されかつ第２の縁部を有する第２のストラップ部を設けることと；
接合部において前記第１の縁部を前記第２の縁部へ接合することと；
前記接合部を第３の織物のストリップにより被覆することと、
を含む、方法。
【請求項４５】
前記接合部は、長さおよび２つの端部を有し、前記ストリップは前記長さを被覆する、請求項４４に記載の方法。
【請求項４６】
前記ストリップは、前記長さの２つの側部を被覆する、請求項４５に記載の方法。
【請求項４７】
前記ストリップは、前記接合部の周囲に巻かれ、前記２つの端部を被覆する、請求項４５〜４６のうちいずれかに記載の方法。
【請求項４８】
前記接合部は、縫製された接合部である、請求項４４〜４７のうちいずれかに記載の方法。
【請求項４９】
前記第１のストラップ部は、前記接合部を交差する第３の縁部を有し、前記第２のストラップ部は、実質的に前記第３の縁部において前記接合部と交差する第４の縁部を有し、前記方法は、前記第３の縁部および前記第４の縁部に沿って前記第３の縁部および前記第４の縁部の周囲に延びるように前記第３の織物の第２のストリップを巻くことをさらに含む、請求項４５〜４８のうちいずれかに記載の方法。
【請求項５０】
前記ストリップは、前記第２のストリップによって被覆された少なくとも１つの端部を含む、請求項４９に記載の方法。
【請求項５１】
前記第２のストリップにＶ字型の折り目を付加することをさらに含む、請求項４９〜５０のうちいずれかに記載の方法。
【請求項５２】
前記第１のストラップ部は第３の縁部を有し；
前記第２の織物から構成されかつ第４の縁部を有する第３のストラップ部を設けることと；
前記第３の縁部および前記第４の縁部を第２の接合部において接合することと；
前記第２の接合部を前記第３の織物の別のストリップで被覆することと、
をさらに含む、請求項４４〜５１のうちいずれかに記載の方法。
【発明の詳細な説明】
【技術分野】
【０００１】
本出願は、２０１５年７月２４日に出願された米国仮出願第６２／１９６，３２９号および２０１６年４月１１日に出願された米国仮出願第６２／３２１０５３号の恩恵を主張する。本明細書中、同文献それぞれの全体を参考のため援用する。
【０００２】
本技術は、呼吸関連疾患の検出、診断、治療、回避および改善のうち１つ以上における使用に適したヘッドギアに関する。本技術はまた、医療デバイスまたは装置と、その使用とに関する。例えば、本ヘッドギアは、呼吸関連疾患の検出、診断、治療、回避および改善に特別に適合されたマスクと共に用いられ得る。
【背景技術】
【０００３】
１．人の呼吸系及びその疾患
身体の呼吸系は、ガス交換を促進させる。鼻および口腔は、患者の気道への入口を形成する。
【０００４】
これらの気道は、一連の分岐する管を含み、これらの管は、肺の奥深くに進むほど狭く、短くかつ多数になる。肺の主要な機能はガス交換であり、空気から酸素を静脈血中へ取り入れさせ、二酸化炭素を退出させる。気管は、右および左の主気管支に分かれ、これらの主気管支はさらに分かれて、最終的に終末細気管支となる。気管支は、伝導のための気道を構成するものであり、ガス交換には関与しない。気道がさらに分割されると呼吸細気管支となり、最終的には肺胞となる。肺の肺胞領域においてガス交換が行われ、この領域を呼吸ゾーンと呼ぶ。非特許文献１を参照されたい。
【０００５】
一定範囲の呼吸疾患が存在している。特定の疾患は、特定の発症（例えば、無呼吸、呼吸低下および過呼吸）によって特徴付けられ得る。
【０００６】
閉塞性睡眠時無呼吸（ＯＳＡ）は、睡眠呼吸障害（ＳＤＢ）の１つの形態であり、睡眠時の上通気道の閉鎖または妨害などの発症によって特徴付けられる。睡眠時の異常に小さな上側気道および舌領域における筋緊張の正常欠損、軟口蓋および後中咽頭壁の組み合わせに起因する。このような状態に起因して、患者の呼吸停止が典型的には３０〜１２０秒にわたり、ときには一晩に２００〜３００回も呼吸が停止する。その結果、日中の眠気が過度になり、心血管疾患および脳損傷の原因になり得る。この症候は一般的な疾患であり、特に中年の過体重の男性に多いが、患者に自覚症状は無い。特許文献１（Ｓｕｌｌｉｖａｎ）を参照されたい。
【０００７】
チェーンストークス呼吸（ＣＳＲ）は、別の形態の睡眠呼吸障害である。ＣＳＲは、患者の呼吸調節器の疾患であり、ＣＳＲサイクルとして知られる換気の漸増および漸減が交互に周期的に続く。ＣＳＲは、動脈血の脱酸素および再曝気の繰り返しによって特徴付けられる。ＣＳＲは、低酸素の繰り返しに起因して有害になる可能性がある。患者によっては、ＣＳＲに関連して睡眠から何度も目覚める者もおり、不眠が深刻化し、交感神経作用が増加し、後負荷が増加する。特許文献２（Ｂｅｒｔｈｏｎ−Ｊｏｎｅｓ）を参照されたい。
【０００８】
呼吸不全とは、呼吸疾患の総称であり、患者は、代謝活性が安静時を大きく上回った場合、自身の血液中のＣＯ２のバランスをとるために充分な換気を行うことができなくなる。呼吸不全は、以下の疾患のうちいくつかまたは全てを包含し得る。
【０００９】
肥満過換気症候群（ＯＨＳ）は、低換気の原因が他に明確に無い状態における、深刻な肥満および覚醒慢性高炭酸ガス血症の組み合わせとして定義される。症状を挙げると、呼吸困難、起床時の頭痛および日中の過度の眠気がある。
【００１０】
慢性閉塞性肺疾患（ＣＯＰＤ）は、特定の共通する特性を有する下部気道疾患のグループのうちのいずれも包含する。そのような特性を挙げると気動に対する抵抗増加、呼吸の呼気相の増加、および肺の通常の弾性の喪失がある。ＣＯＰＤの例として、気腫および慢性気管支炎がある。ＣＯＰＤの原因としては、慢性喫煙（第一危険因子）、職業被ばく、空気汚染および遺伝因子がある。症状を挙げると、労作時の呼吸困難、慢性咳および痰生成がある。
【００１１】
神経筋疾患（ＮＭＤ）は、内在筋病理を直接介してまたは神経病理を間接的に介して筋肉機能を損なう多数の疾病および病気を包含する広範な用語である。ＮＭＤ患者の中には、進行性の筋肉障害によって特徴付けられる者もあり、結果的に歩行不可能、車椅子への束縛、嚥下困難、呼吸筋肉の弱体化に繋がり、最終的には呼吸不全による死亡に繋がる。神経筋肉障害は、以下の速く進行するものとゆっくり進行するものとに区分され得る：（ｉ）速く進行する障害：数ヶ月かけて悪化する筋肉障害によって特徴付けられ、数年内に死亡に繋がる（例えば、ティーンエージャーにおける筋萎縮性側索硬化症（ＡＬＳ）およびデュシェンヌ筋ジストロフィー（ＤＭＤ））；（ｉｉ）不定のまたはゆっくり進行する障害：数年かけて悪化する筋肉障害によって特徴付けられ、平均余命が若干低減するだけである（例えば、肢帯、顔面肩甲上腕型および筋緊張性筋ジストロフィー）。ＮＭＤにおける呼吸不全症状を以下に挙げる：全般的衰弱の増加、嚥下障害、労作および安静時の呼吸困難、疲労、眠気、起床時の頭痛、および集中および気分の変化の困難。
【００１２】
胸壁障害は、胸郭変形の１つのグループであり、呼吸筋肉と胸郭との間の連結の無効性の原因となる。これらの障害は、拘束性障害によって主に特徴付けられ、長期の炭酸過剰性呼吸不全の可能性を共有する。脊柱側湾症および／または脊柱後側弯症は、深刻な呼吸不全を引き起こし得る。呼吸不全の症状を以下に挙げる：労作時の呼吸困難、末梢浮腫、起座呼吸、胸部感染症の再発、起床時の頭痛、疲労、睡眠の質の低下、および食欲不振。
【００１３】
このような状態を治療または改善するために、一定範囲の治療が用いられている。さらに、その他の点では健康な個人も、呼吸疾患の予防治療を有利に利用することができる。しかし、これらにおいては、複数の欠陥がある。
【００１４】
２．治療法
経鼻的持続陽圧呼吸（ＣＰＡＰ）療法が、閉塞性睡眠時無呼吸（ＯＳＡ）の治療において用いられている。その作用機構としては、例えば軟口蓋および舌を押して後中咽頭壁へ前進または後退させることにより、経鼻的持続陽圧呼吸療法が空気スプリントとして機能し、これにより上側気道の閉鎖を回避する。ＣＰＡＰ治療によるＯＳＡの治療は自発的なものであり得るため、このような患者が治療の提供に用いられるデバイスについて以下のうち１つ以上に気づいた場合、患者が治療を遵守しないことを選択する可能性がある：不快、使用困難、高価、美観的な魅力の無さ。
【００１５】
非侵襲的換気（ＮＩＶ）は、換気支援を上気道を通じて患者へ提供して、呼吸機能の一部または全体を行うことにより患者の呼吸の支援および／または身体中の適切な酸素レベルの維持を提供する。換気支援が、非侵襲的患者インターフェースを介して提供される。ＮＩＶは、ＯＨＳ、ＣＯＰＤ、ＭＤ、および胸壁障害などの形態のＣＳＲおよび呼吸不全の治療に用いられている。いくつかの形態において、これらの治療の快適性および有効性が向上し得る。
【００１６】
侵襲的換気（ＩＶ）は、自身で有効に呼吸することができなくなった患者に対して換気支援を提供し、気道開口チューブを用いて提供され得る。いくつかの形態において、これらの治療の快適性および有効性が向上し得る。
【００１７】
３．治療システム
これらの治療は、治療システムまたはデバイスによって提供され得る。このようなシステムおよびデバイスは、症状を治療することなく診断するためにも、用いられ得る。
【００１８】
治療システムは、呼吸圧力療法デバイス（ＲＰＴデバイス）、空気回路、加湿器、患者インターフェース、およびデータ管理を含み得る。
【００１９】
３．１  患者インターフェース
患者インターフェースは、例えば気道入口への空気流れを提供することにより呼吸装具へのインターフェースを装着者へ提供するために、用いられ得る。空気流れは、鼻および／または口腔へのマスク、口腔への管、または患者気管への気管切開管を介して提供され得る。適用される療法に応じて、患者インターフェースは、例えば患者の顔の領域との密閉部を形成し得、これにより、療法実行のための雰囲気圧力と共に充分な分散の圧力において（例えば、例えば雰囲気圧力に対して約１０ｃｍＨ２Ｏの正の圧力において）ガス送達を促進する。酸素送達などの他の治療形態において、患者インターフェースは、約１０ｃｍＨ２Ｏの正の圧力において気道へのガス供給の送達を促進するのに充分な密閉を含まない場合がある。
【００２０】
特定の他のマスクシステムは、本分野において機能的に不適切であり得る。例えば、純然たる装飾目的のマスクの場合、適切な圧力を維持することができない場合がある。水中水泳またはダイビングに用いられるマスクシステムは、外部からのより高い圧力からの水侵入から保護することと、周囲よりも高い圧力において内部の空気を維持しないこととを行うように、構成され得る。
【００２１】
特定のマスクは、本技術において臨床的に好ましく無い場合があり得る（例えば、マスクが鼻を介して気流を遮断し、口を介した気流のみを通過させる場合）。
【００２２】
特定のマスクにおいて、患者がマスク構造の一部を口に挿入し、唇を介して密閉状態を生成および維持しなければならない場合、本技術において不快であるかまたは非実際的である場合がある。
【００２３】
特定のマスクは、睡眠時（例えば、横向きにベッドに寝て枕の上に頭を置いた状態で睡眠する場合）における使用においては非実際的である場合がある。
【００２４】
患者インターフェースの設計においては、複数の課題がある。顔は、複雑な三次元形状を有する。鼻のサイズおよび形状は、個人によって大きく異なる。頭部には骨、軟骨および軟組織が含まれるため、顔の異なる領域は、機械的力に対して異なる反応を示す。すなわち、顎部または下顎は、頭蓋骨の他の骨に相対して動き得る。頭部全体は、呼吸治療期間を通じて動き得る。
【００２５】
これらの課題に起因して、いくつかのマスクの場合、特に装着時間が長い場合または患者がシステムに不慣れである場合、押しつけがましい、美観的に望ましくない、コストが高い、フィット感が悪い、使用が困難、および不快感があるなどの理由のうち１つ以上がある。例えば、飛行士専用のマスク、個人用保護装具（例えば、フィルターマスク）、ＳＣＵＢＡマスクの一部として設計されたマスク、または麻酔投与用マスクは、その元々の用途には耐えられるものの、このようなマスクの場合、長時間（例えば、数時間）にわたって装着するには望ましくないほど不快な場合がある。このような不快感に起因して、治療に対する患者の承諾が低下する可能性がある。これは、マスクを睡眠時に装着する必要がある場合、特に当てはまる。
【００２６】
ＣＰＡＰ治療は、患者が治療を承諾している場合、特定の呼吸疾患の治療においては極めて効果的である。マスクが不快である場合または使用が難しい場合、患者は、治療を承諾しない場合がある。患者はマスクを定期的に洗浄するよう推奨されることが多いため、マスクの清浄が難しい（例えば、組立または分解が困難である場合）、患者は、マスクを清浄することができず、患者の承諾に影響が出る場合がある。
【００２７】
他の用途（例えば、飛行士）用のマスクの場合、睡眠疾患のある呼吸の治療の使用には不適である場合があるため、睡眠疾患のある呼吸の治療の使用のために設計されたマスクは、他の用途に適している場合がある。
【００２８】
これらの理由のため、睡眠時のＣＰＡＰ送達のための患者インターフェースは、明瞭な分野を形成する。
【００２９】
３．１．１  密閉形成部分
患者インターフェースは、密閉形成部分を含み得る。患者インターフェースは、患者の顔と直接接触するため、密閉形成部分の形状および構成は、患者インターフェースの有効性および快適性に直接影響を持ち得る。
【００３０】
患者インターフェースは、使用時に密閉形成部分を顔と係合させる場所の設計意図に従って、部分的に特徴付けられ得る。１つの形態の患者インターフェースにおいて、密閉形成部分は、各左鼻孔および右鼻孔と係合する２つのサブ部分を含み得る。１つの形態の患者インターフェースにおいて、密閉形成部分は、使用時において双方の鼻孔を包囲する単一の要素を含み得る。このような単一の要素は、例えば顔の上唇領域および鼻梁領域上に載置されるように、設計され得る。１つの形態の患者インターフェースにおいて、密閉形成部分は、使用時に例えば顔の下唇領域上に密閉を形成することにより口腔領域を包囲する要素を含み得る。１つの形態の患者インターフェースにおいて、密閉形成部分は、使用時に双方の鼻孔および口腔領域を包囲する単一の要素を含み得る。これらの異なる種類の患者インターフェースは、その製造業者によって鼻マスク、フルフェイスマスク、鼻枕、鼻パフおよび口鼻マスクなどの多様な名称によって公知であり得る。
【００３１】
患者の顔の一領域において有効であり得る密閉形成部分は、例えば患者の顔の異なる形状、構造、変化性および感受性領域に起因して、別の領域において不適切であり得る。例えば、患者の額上に載置される水泳用ゴーグルの密閉部は、患者の鼻上における使用には不適切である場合がある。
【００３２】
特定の密閉形成部分は、広範囲の異なる顔形状およびサイズに対して１つの設計が適合し、快適でありかつ有効になるように、大量製造用に設計され得る。密閉部を形成するためには、患者の顔の形状と、大量製造された患者インターフェースの密閉形成部分との間の不整合がある範囲まで、一方または双方を適合させる必要がある。
【００３３】
１つの種類の密閉形成部分は、患者インターフェースの周囲を包囲して延び、密閉形成部分が患者の顔に対向して係合している状態で力が患者インターフェースへ付加された際、患者の顔を密閉することを意図する。この密閉形成部分は、空気または流体充填クッションを含み得るか、または、ゴムなどのエラストマーによって構成された弾力性のある密閉要素の、成形されたかまたは形成された表面を含み得る。この種の密閉形成部分により、フィット感が不適切である場合、密閉形成部分と顔との間に隙間が発生し、密閉を達成するには、患者インターフェースを顔に押しつけるためにさらなる力が必要になる。
【００３４】
別の種類の密閉形成部分は、正の圧力がマスク内に付加された際に患者の顔に対して自己気密作用を提供するように、マスクの周囲の周辺に配置された肉薄材料のフラップシールを使用する。先述の種類の密閉形成部分と同様に、顔とマスクとの間の整合が良くない場合、密閉を達成するために必要なさらなる力が必要になり得るか、またはマスクから漏洩が発生し得る。さらに、密閉形成部分の形状が患者の形状と整合しない場合、使用時において密閉形成部分に折り目または座屈が発生し、漏洩の原因になる。
【００３５】
別の種類の密閉形成部分は、例えば鼻孔中へ挿入される摩擦嵌め要素を含み得るが、これらの密閉形成部分を不快であると感じる患者も存在する。
【００３６】
別の形態の密閉形成部分は、密閉を達成するために接着部を用い得る。患者の中には、常に接着部を自身の顔に貼り付けるかまたは取り外すことが不便であると感じる患者もいる。
【００３７】
一定範囲の患者インターフェース密閉形成部分の技術について、ＲｅｓＭｅｄ  Ｌｉｍｉｔｅｄへ譲渡された以下の特許出願：特許文献３；特許文献４；特許文献５に開示がある。
【００３８】
１つの形態の鼻枕が、Ｐｕｒｉｔａｎ  Ｂｅｎｎｅｔｔによって製造されたＡｄａｍ回路において見受けられる。別の鼻枕または鼻パフが、Ｐｕｒｉｔａｎ−Ｂｅｎｎｅｔｔ  Ｃｏｒｐｏｒａｔｉｏｎへ譲渡された特許文献６（Ｔｒｉｍｂｌｅら）の主題になっている。
【００３９】
ＲｅｓＭｅｄ  Ｌｉｍｉｔｅｄは、鼻枕を用いた以下の製品を製造している：ＳＷＩＦＴ（登録商標）鼻枕マスク、ＳＷＩＦＴ（登録商標）ＩＩ鼻枕マスク、ＳＷＩＦＴ（登録商標）ＬＴ鼻枕マスク、ＳＷＩＦＴ（登録商標）ＦＸ鼻枕マスクおよびＭＩＲＡＧＥＬＩＢＥＲＴＹ（登録商標）フルフェイスマスク。ＲｅｓＭｅｄ  Ｌｉｍｉｔｅｄへ譲渡された以下の特許出願において、鼻枕マスクの例についての記載がある：特許文献７（特に、ＲｅｓＭｅｄ  ＬｉｍｉｔｅｄのＳＷＩＦＴ（登録商標）鼻枕の様相を記載）、特許文献８（特に、ＲｅｓＭｅｄ  ＬｉｍｉｔｅｄのＳＷＩＦＴ（登録商標）ＬＴ鼻枕の様相を記載）；特許文献９および特許文献１０（特に、ＲｅｓＭｅｄ  ＬｉｍｉｔｅｄのＭＩＲＡＧＥ  ＬＩＢＥＲＴＹ（登録商標）フルフェイスマスクの様相を記載）；特許文献１１（特に、ＲｅｓＭｅｄ  ＬｉｍｉｔｅｄのＳＷＩＦＴ（登録商標）ＦＸ鼻枕の様相を記載）。
３．１．２  位置決めおよび安定化
【００４０】
正の空気圧力治療に用いられる患者インターフェースの密閉形成部分は、密閉を妨害する空気圧力の対応する力を受ける。そのため、密閉形成部分を位置決めすることと、顔の適切な部分に対して密閉を維持することとを行うために、多様な技術が用いられている。
【００４１】
１つの技術において、接着部が用いられる。例えば、特許文献１２を参照されたい。しかし、接着部を用いた場合、不快感がある場合がある。
【００４２】
別の技術において、１つ以上のストラップおよび／または安定化ハーネスが用いられる。多数のこのようなハーネスの場合、フィット感が悪い、かさばる、不快および扱いにくいなどの点のうち１つ以上が当てはまる。
３．１．３  通気技術
【００４３】
いくつかの形態の患者インターフェースシステムは、吐き出された二酸化炭素を押し出すための通気部を含み得る。この通気部により、患者インターフェースの内部空間（例えば、プレナムチャンバ）から患者インターフェースの外部（例えば、周囲）への流れが可能になり得る。この通気部は、オリフィスを含み得、マスク使用時において、ガスがオリフィスを通じて流れ得る。多数のこのような通気部の場合、音がうるさい。他の場合、使用時において閉塞し得るため、押し出しが不十分になる。いくつかの通気部の場合、例えば音または気流集中に起因して、患者１０００と一緒に寝る人１１００の睡眠を妨げる場合がある。
【００４４】
ＲｅｓＭｅｄ  Ｌｉｍｉｔｅｄは、複数の向上したマスク通気技術を開発している。下記を参照されたい：特許文献１３；特許文献１４；特許文献１５；特許文献１６；特許文献８。
【先行技術文献】
【特許文献】
【００４５】
【特許文献１】米国特許第４９４４３１０号明細書
【特許文献２】米国特許第６５３２９５９号明細書
【特許文献３】国際公開第１９９８／００４３１０号
【特許文献４】国際公開第２００６／０７４５１３号
【特許文献５】国際公開第２０１０／１３５７８５号
【特許文献６】米国特許第４７８２８３２号明細書
【特許文献７】国際公開第２００４／０７３７７８号
【特許文献８】米国特許出願第２００９／００４４８０８号明細書
【特許文献９】国際公開第２００５／０６３３２８号
【特許文献１０】国際公開第２００６／１３０９０３号
【特許文献１１】国際公開第２００９／０５２５６０号
【特許文献１２】米国特許出願公開第２０１０／００００５３４号明細書
【特許文献１３】国際公開第１９９８／０３４６６５号
【特許文献１４】国際公開第２０００／０７８３８１号
【特許文献１５】米国特許第６５８１５９４号明細書
【特許文献１６】米国特許出願公開第２００９／００５０１５６号明細書
【非特許文献】
【００４６】
【非特許文献１】「Ｒｅｓｐｉｒａｔｏｒｙ  Ｐｈｙｓｉｏｌｏｇｙ」，  ｂｙ  Ｊｏｈｎ  Ｂ．  Ｗｅｓｔ，  Ｌｉｐｐｉｎｃｏｔｔ  Ｗｉｌｌｉａｍｓ  ＆  Ｗｉｌｋｉｎｓ，  ９ｔｈ  ｅｄｉｔｉｏｎ  ｐｕｂｌｉｓｈｅｄ  ２０１１
【発明の概要】
【課題を解決するための手段】
【００４７】
本技術は、呼吸疾患の診断、改善、治療または回避において用いられる医療デバイスの提供に関連し、これらの医療デバイスは、向上した快適性、コスト、有効性、使い易さおよび製造可能性のうち１つ以上を有する。
【００４８】
本技術の第１の様態は、呼吸障害の診断、改良、治療または回避に用いられる装置に関連する。
【００４９】
本技術の別の様態は、呼吸障害の診断、改良、治療または回避において用いられる方法に関連する。
【００５０】
特定の形態の本技術の様相は、呼吸治療についての患者の承諾を向上させる方法および／または装置を提供するためである。
【００５１】
本技術の様相は、ヘッドギアアセンブリを含む。ヘッドギアアセンブリは、以下を含む：長細縁部を備えた第１の可撓性材料のストラップ、長細縁部の周囲に折り畳まれかつ長細縁部に沿って延びる第２の可撓性材料。
【００５２】
例において、（ａ）第２の可撓性材料は、弾性材料を含む；（ｂ）第２の可撓性材料は、Ｖ字形状に折り畳まれる；（ｃ）第１の可撓性材料は、共に積層されかつ接着された第３の可撓性材料の層および第４の可撓性材料の層を含む；（ｄ）第２の可撓性材料は、積層された層の縁部が被覆されるように、第３の可撓性材料および第４の可撓性材料を被覆する；（ｅ）ヘッドギアアセンブリは、第３の可撓性材料と第４の可撓性材料との間の接着フィルムをさらに含む；（ｆ）第１の可撓性材料は、織物材料を含む；（ｇ）第１の可撓性材料は、スペーサ織物である；（ｈ）長細縁部は、丸みのある形状である；（ｉ）ストラップは、長細縁部と共にストラップの幅を規定する第２の長細縁部を含む；（ｊ）ヘッドギアアセンブリは、第２の長細縁部の周囲に折り畳まれかつ第２の長細縁部に沿って延びる第５の可撓性材料をさらに含む；（ｋ）第２の可撓性材料および第５の可撓性材料は、同一材料である；（ｌ）第２の可撓性材料は、ストラップの第１の側部上ｎ幅にわたって延び、第２の長細縁部の周囲に折り畳まれかつ第２の長細縁部に沿って延びる；（ｍ）第２の可撓性材料は、ストラップの第２の側部上の幅全体を被覆しない；（ｎ）第２の可撓性材料は、ストラップへ取り付けられる；（ｏ）第２の可撓性材料は、ストラップの２つの側部上の接着部によって取り付けられる；（ｐ）ストラップは、呼吸マスク用の接続部を含む；（ｑ）接続部は、呼吸マスクが通過するように構成された穴を含む；（ｒ）穴は、呼吸マスクの一部の外周の周囲を通るように、構成される；（ｓ）ヘッドギアアセンブリは、穴の周囲を包囲するように折り畳まれかつ穴の周囲に沿って延びる第６の可撓性材料をさらに含む；（ｔ）第２の可撓性材料および第６の可撓性材料は、同一材料である；かつ／または、（ｕ）呼吸ガスを加圧して患者へ送達するための患者インターフェースであって、患者インターフェースは、呼吸マスクおよび上記例のうちいずれかに記載のヘッドギアアセンブリを含む。
【００５３】
本技術の様相は、ヘッドギアアセンブリを含む。ヘッドギアアセンブリは、以下を含む：第１の端部を備えた第１の可撓性ストラップ部分、ストラップを形成するように第１の端部へ取り付けられた第２の端部を備えた第２の可撓性ストラップ部分、および第１の端部と第２の端部との間の取付部を被覆する被覆材料。
【００５４】
例において、（ａ）第１の可撓性ストラップ部分および第２の可撓性ストラップ部分により、ストラップの長細縁部が規定される。被覆材料は、長細縁部に沿って長細縁部上に折り畳まれる。（ｂ）第１の可撓性ストラップ部分および第２の可撓性ストラップ部分により、ストラップの長細縁部が規定される。第１の端部および第２の端部により、長細縁部を横切る短縁部が規定される。被覆材料は、短縁部のうち少なくとも１つを被覆する。（ｃ）第１の可撓性ストラップ部分および第２の可撓性ストラップ部分により、ストラップの長細縁部が規定される。第１の端部および第２の端部により、長細縁部を横切る短縁部が規定される。被覆材料は、短縁部のうち少なくとも１つを被覆する。被覆材料は、長細縁部に沿って長細縁部上に折り畳まれる。（ｄ）被覆材料は、少なくとも１つの短縁部の長さ全体を被覆する。（ｅ）第１の可撓性ストラップ部分は、第２の可撓性ストラップ部分よりも伸縮するように構成される。（ｆ）第１の可撓性ストラップ部分は弾性であり、第２の可撓性ストラップ部分は非弾性である。（ｇ）第１の可撓性ストラップ部分は、スペーサ織物を含む。（ｈ）第２の可撓性ストラップ部分は、材料の２つの層を第２の端部において含む。第１の端部は、２つの層間に挿入され、２つの層へ接続される。（ｉ）材料の２つの層のうち１つは、面ファスナの第１の半分を含む。（ｊ）第２の可撓性ストラップ部分は、面ファスナの第１の半分を面ファスナの第２の半分へ取り付けるように第２の可撓性ストラップ部分を折り畳むことが可能なように構成された面ファスナの第２の半分をさらに含む。（ｋ）材料の２つの層は、第２の端部から離隔方向に第１の端部を超えて接続される。（ｌ）２つの層は、第１の端部が挿入されるＹ字形状を形成する。（ｍ）材料の２つの層は、接着部の層により相互に接続され、第１の端部へ接続される。（ｎ）ストラップは、交差してＹ字形状の外形を形成する３本の脚部を含む。（ｏ）ヘッドギアアセンブリは、ストラップへ解放可能に接続された第２のストラップをさらに含む。（ｐ）第２のストラップは、呼吸マスク用の接続部を含む。（ｑ）接続部は、呼吸マスクが通過するように構成された穴を含む。（ｒ）穴は、呼吸マスクの一部の外周の周囲を通るように、構成される。かつ／または、（ｓ）呼吸ガスを加圧して患者へ送達するための患者インターフェースであって、患者インターフェースは：呼吸マスクおよび上記例のうちいずれかに記載のヘッドギアアセンブリを含む。
【００５５】
本技術の１つの形態の様相は、装置の製造方法である。
【００５６】
本技術の１つの形態の様相は、ヘッドギアアセンブリの製造方法である。この方法は、第１の織物から構成されかつ第１の縁部を有する第１のストラップ部を提供することと、第２の織物から構成されかつ第２の縁部を有する第２のストラップ部を提供することと、接合部において第１の縁部を第２の縁部へ接合することと、接合部を第３の織物のストリップにより被覆することとを含む。
【００５７】
例において、（ａ）接合部は、長さおよび２つの端部を有し、ストリップは、長さを被覆する。（ｂ）ストリップは、長さの２つの側部を被覆する。（ｃ）ストリップは、接合部周囲を包囲し、２つの端部を被覆する。（ｄ）接合部は、縫製された接合部である。（ｅ）第１のストラップ部は、接合部を交差する第３の縁部を有し、第２のストラップ部は、実質的に第３の縁部において接合部と交差する第４の縁部を有する。方法は、第３の縁部および第４の縁部に沿って第３の縁部および第４の縁部の周囲に延びるように、第３の織物の第２のストリップを包囲することをさらに含む。（ｆ）ストリップは、第２のストリップによって被覆された少なくとも１つの端部を含む。（ｇ）方法は、第２のストリップにＶ字型の折り目を付加することをさらに含む。（ｈ）第１のストラップ部は、第３の縁部を有し、方法は、第２の織物から構成されかつ第４の縁部を有する第３のストラップ部を提供することと、第３の縁部および第４の縁部を第２の接合部において接合することと、第２の接合部を第３の織物の別のストリップで被覆することとをさらに含む。
【００５８】
本技術の特定の形態の様相は、例えば医療トレーニングを受けたことの無い人、あまり器用ではない人、またはこの種の医療デバイスの使用経験が限られた人にとって使い易い医療デバイスである。
【００５９】
本技術の１つの形態の様相は、患者の家庭において例えば石けん水などによって洗浄することが可能な患者インターフェースであり、特殊な清浄器具は不要である。
【００６０】
もちろん、上記様態の一部は、本技術の下位様態を形成し得る。また、下位様態および／または様態のうち多様な１つを多様に組み合わせることができ、本技術のさらなる様態または下位様態も構成し得る。
【００６１】
本技術の他の特徴は、以下の詳細な説明、要約、図面および特許請求の範囲中に含まれる情報を鑑みれば明らかになる。
【００６２】
本技術を、添付図面中に非限定的に一例として例示する。図面中、類似の参照符号は、類似の要素を含む。
【図面の簡単な説明】
【００６３】
【図１Ａ】患者インターフェース３０００を装着している患者１０００を含むシステムを示す図である。このシステムは、鼻枕の形態をとり、ＲＰＴデバイス４０００から供給される正の圧力の空気を受容する。ＲＰＴデバイスからの空気は、加湿器５０００によって加湿され、空気回路４１７０に沿って患者１０００へと移動する。一緒に寝る人１１００も図示される。
【図１Ｂ】患者インターフェース３０００を装着している患者１０００を含むシステムを示す図である。このシステムは、鼻マスクの形態をとり、ＲＰＴデバイス４０００から供給される正の圧力の空気を受容する。ＲＰＴデバイスからの空気は、加湿器５０００によって加湿され、空気回路４１７０に沿って患者１０００へと移動する。
【図１Ｃ】患者インターフェース３０００を装着している患者１０００を含むシステムをｓｉｍｅｓｕ示す図である。患者インターフェース３０００は、全面式マスクをとり、正の圧力の空気供給をＲＰＴデバイス４０００から受容する。ＲＰＴデバイスからの空気は、加湿器５０００中において加湿され、空気回路４１７０に沿って患者１０００へと移動する。
【図２Ａ】鼻および口腔、喉頭、声帯ひだ、食道、気管、気管支、肺、肺胞嚢、心臓および横隔膜を含むヒト呼吸系の概要を示す図である。
【図２Ｂ】鼻腔、鼻骨、外側鼻軟骨、大鼻翼軟骨、鼻孔、上唇、下唇、喉頭、硬口蓋、軟口蓋、中咽頭、舌、喉頭蓋、声帯ひだ、食道および気管を含むヒトの上気道の図である。
【図２Ｃ】上唇、上赤唇、下赤唇、下唇、口腔幅、心内膜、鼻翼、鼻唇溝および口角点を含む表面解剖学的構造のいくつかの特徴を含む顔の正面図である。上側、下側、ラジアル内方およびラジアル外方の方向も記載される。
【図２Ｄ】眉間、セリオン、鼻尖点、鼻下点、上唇、下唇、頤、鼻堤、狭長頂点、下耳上縁点および下耳下縁点を含む表面解剖学的構造のいくつかの特徴を含む頭部の側面図である。上側および下側と、前方および後方との方向も記載される。
【図２Ｅ】頭部のさらなる側面図である。フランクフォート水平および鼻唇角の大まかな位置が記載されている。前額面も記載される。
【図２Ｆ】鼻唇溝、下唇、上赤唇、鼻孔、鼻下点、鼻柱、鼻尖点、鼻孔の主軸および矢状面を含むいくつかの特徴を含む鼻の底面図である。
【図２Ｇ】鼻の表面的特徴の側面図である。
【図２Ｈ】外側軟骨、隔膜軟骨、大鼻翼軟骨、小鼻翼軟骨、種子骨軟骨、鼻骨、表皮、脂肪組織、上顎骨の前頭突起および線維性脂肪組織を含む鼻の皮下構造を示す図である。
【図２Ｉ】鼻の中間切開、矢状面からおよそ数ミリメートルの位置における鼻の中間切開を示す図であり、特に隔膜軟骨および大鼻翼軟骨の内側脚を示す図である。
【図２Ｊ】前頭骨、鼻骨および頬骨を含む頭蓋骨の骨正面図である。鼻甲介が上顎骨および下顎と共に図示されている。
【図２Ｋ】頭蓋骨を頭部表面の外形およびいくつかの筋肉と共に示す側面図である。以下の骨：前頭、蝶形骨、鼻、頬骨、上顎骨、下顎、頭頂、側頭および後頭が図示されている。オトガイ隆起が図示されている。以下の筋肉：二腹、咬筋、胸鎖乳突筋および僧帽筋が図示されている。
【図２Ｌ】鼻の前外側を示す図である。
【図３Ａ】本技術の１つの形態による鼻マスクの形態の患者インターフェースを示す図である。
【図３Ｂ】構造を１つの点において切断した模式的断面図である。この点における外向き法線が図示される。この点における曲率は、正の符号と、３Ｃに示す曲率の大きさと比較して比較的大きな大きさとを有する。
【図３Ｃ】構造を１つの点において切断した模式的断面図である。この点における外向き法線が図示される。この点における曲率は、正の符号と、図３Ｂに示す曲率の大きさと比較して比較的小さな大きさとを有する。
【図３Ｄ】構造を１つの点において切断した模式的断面図である。この点における外向き法線が図示される。この点における曲率の値はゼロである。
【図３Ｅ】構造を１つの点において切断した模式的断面図である。この点における外向き法線が図示される。この点における曲率は、負の符号と、図３Ｆに示す曲率の大きさと比較して比較的小さな大きさとを有する。
【図３Ｆ】構造を１つの点において切断した模式的断面図である。この点における外向き法線が図示される。この点における曲率は、負の符号と、図３Ｅに示す曲率の大きさと比較して比較的大きな大きさとを有する。
【図３Ｇ】２つの枕を含むマスク用クッションを示す。クッションの外面が図示される図である。表面の縁部が図示される。ドーム領域およびサドル領域が図示される。
【図３Ｈ】マスク用クッションを示す。クッションの外面が図示される図である。表面の縁部が図示される。点Ａと点Ｂとの間の表面上の経路が図示される。ｉｓ図示される。ＡとＢとの間の直線距離が図示される。２つのサドル領域およびドーム領域が図示される。
【図４Ａ】患者上のマスクを支持するヘッドギアの斜視図である。
【図４Ｂ】患者上のマスクを支持するヘッドギアの正面図である。
【図４Ｃ】患者上のマスクを支持するヘッドギアの背面図である。
【図４Ｄ】患者上のマスクを支持するヘッドギアの平面図である。
【図４Ｅ】患者上のマスクを支持するヘッドギアの側面図である。
【図４Ｆ】平坦状態にあるヘッドギアを示す図であり、マスクへのマスクまたは接続部は無い。
【図４Ｇ】折り畳まれた状態の図４Ｆのヘッドギアを示す図である。
【図４Ｈ】基礎的な構造を確認できるよう、構造を省略したヘッドギアを示す図である。
【図４Ｉ】マスクまたはマスクへの接続部無しのヘッドギアを示す図である。
【図４Ｊ】ストラップ部分が交差するヘッドギアの部分図である。
【図４Ｋ】図４Ｊに示すヘッドギアの反対側を示す図である。
【図４Ｌ】マスク無しの平坦状態における部分的に完成したヘッドギアを示す図である。
【図４Ｍ】図４Ｌを通じてとられた断面図である。
【図４Ｎ】マスクの保持および図４Ｌに示すヘッドギアへの取付に用いられるストラップを示す図である。
【図４Ｏ】組み立てられた状態において平置きした状態のヘッドギアを示す図である。
【図４Ｐ】組み立てられた状態のヘッドギアを示す図である。
【図４Ｑ】相互に切断された２つのストラップ部分を備えたヘッドギアを示す図である。
【図４Ｒ】ストラップが相互に接続された状態の図４Ｑのヘッドギアを示す図である。
【図４Ｓ】図４Ｒのヘッドギアをマスクと共に示す図である。
【図４Ｔ】ヘッドギアのストラップ部分を通じた断面図である。
【図４Ｕ】マスク用開口部を含むストラップ部分を示す図である。
【図４Ｖ】マスクを含む図４Ｕのストラップ部分を示す図である。
【図４Ｗ】マスク用開口部を含むストラップ部分を示す図である。
【図４Ｘ】図４Ｗのストラップ部分をマスクと共に示す図である。
【図４Ｙ】丸みのある形状である長細縁部を示す図である。
【図５Ａ】ヘッドギアアセンブリにおいて用いられる部分を示す図である。
【図５Ｂ】図５Ａの部分を構成要素と共に示す図である。
【図５Ｃ】図５Ｂの部分において構成要素がトリムされた様子を示す図である。
【図５Ｄ】図５Ｃ中の部分の裏側を示す図である。
【図５Ｅ】相互に隣接するヘッドギアアセンブリのための複数の部分が相互に接合される前の様子を示す図である。
【図５Ｆ】複数の図５Ｅのうち３つの部分を示す図であり、これらの部分のうち２つが接合され、第３の部分は接合されていない。
【図５Ｇ】平坦構成において相互に接合された図５Ｅの部分全てを示す図である。
【図５Ｈ】構成要素の接合部上への付加および別の接合部上への部分的付加を示す図である。
【図５Ｉ】平坦状態における全接合部上への構成要素の付加を示す図である。
【図５Ｊ】構成要素をトリムした後に接合部全てへ付加された構成要素を示す図である。
【図５Ｋ】ヘッドギアを平坦から非平坦構成へ変化させる接合プロセスの後のヘッドギアを示す図である。
【図５Ｌ】図５Ｋの接合部上へ付加された構成要素を示す図である。
【図５Ｍ】トリム後の図５Ｌの構成要素を示す図である。
【図５Ｎ】マスクと共に用いられる完成したヘッドギアを示す図である。
【発明を実施するための形態】
【００６４】
４．技術の例の詳細な説明
本技術についてさらに詳細に説明する前に、本技術は、本明細書中に記載される異なり得る特定の例に限定されるのではないことが理解されるべきである。本開示中に用いられる用語は、本明細書中に記載される特定の例を説明する目的のためのものであり、限定的なものではないことも理解されるべきである。
【００６５】
以下の記載は、１つ以上の共通の特性および／または特徴を共有し得る多様な例に関連して提供される。任意の１つの例の１つ以上の特徴は、別の例または他の例の１つ以上の特徴と組み合わせることが可能であることが理解されるべきである。加えて、これらの例のうちのいずれかにおける任意の単一の特徴または特徴の組み合わせは、さらなる例を構成し得る。
【００６６】
４．１  治療
１つの形態において、本技術は、呼吸疾患の治療方法を含む。本方法は、患者１０００の気道の入口へ正の圧力を付加するステップを含む。
【００６７】
本技術の特定の例において、正の圧力における空気供給が鼻孔の片方または双方を介して患者の鼻通路へ提供される。
【００６８】
本技術の特定の例において、口呼吸が制限されるか、限定されるかまたは妨げられる。
【００６９】
４．２  治療システム
１つの形態において、本技術は、呼吸障害の治療のための装置またはデバイスを含む。装置またはデバイスは、圧縮空気を患者インターフェース３０００への空気回路４１７０を介して患者１０００へ供給するＲＰＴデバイス４０００を含み得る。
【００７０】
４．３  患者インターフェース
本技術の一様態による非侵襲的患者インターフェース３０００は、以下の機能様態を含む：密閉形成構造３１００、プレナムチャンバ３２００、位置決めおよび安定化構造３３００、通気孔３４００、空気回路４１７０への接続のための１つの形態の接続ポート３６００、および前額支持部３７００。いくつかの形態において、機能様態が、１つ以上の物理的コンポーネントによって提供され得る。いくつかの形態において、１つの物理的コンポーネントは、１つ以上の機能様態を提供し得る。使用時において、密閉形成構造３１００は、気道への正の圧力での空気供給を促進するように、患者の気道の入口を包囲するように配置される。
【００７１】
４．３．１  密閉形成構造
１つの形態の本技術において、密閉形成構造３１００は、密閉形成表面を提供し、クッション機能をさらに提供し得る。
【００７２】
本技術による密閉形成構造３１００は、柔らかく、可撓性でありかつ弾力性のある材料（例えば、シリコーン）から構成され得る。
【００７３】
１つの形態において、非侵襲的患者インターフェース３０００の密閉形成部分は、一対の鼻パフまたは鼻枕を含む。各鼻パフまたは鼻枕は、患者の鼻の各鼻孔との密閉を形成するように構成および配置される。
【００７４】
本技術の様相による鼻枕は、円錐台を含む。円錐台のうち少なくとも一部は、患者の鼻の下側、柄部、円錐台の下側上の可撓性領域上に密閉を形成し、円錐台を柄部へ接続させる。加えて、本技術の鼻枕が接続される構造は、柄部のベースに隣接する可撓性領域を含む。可撓性領域は、自在接合構造を促進するように機能し得る。自在接合構造は、円錐台の変位および角度双方と、鼻枕が接続される構造との相互移動に対応する。例えば、円錐台は、柄部が接続された構造に向かって軸方向に変位し得る。
【００７５】
１つの形態において、非侵襲的患者インターフェース３０００は、患者の顔の上唇領域（すなわち、上唇）上に密閉を形成する密閉形成部分を含む。
【００７６】
１つの形態において、非侵襲的患者インターフェース３０００は、患者の顔の顎領域上に密閉を形成する密閉形成部分を含む。
【００７７】
４．３．２  プレナムチャンバ
プレナムチャンバ３２００は、使用時に密閉が形成される領域において平均的な人の顔の表面外形に対して相補的である形状の周囲を有する。使用時において、プレナムチャンバ３２００の周辺縁部は、顔の隣接する表面に近接して位置決めされる。顔との実際の接触は、密閉形成構造３１００によって提供される。密閉形成構造３１００は、使用時においてプレナムチャンバ３２００の周囲全体の周りに延び得る。
【００７８】
４．３．３  位置決めおよび安定化構造
本技術の患者インターフェース３０００の密閉形成構造３１００は、使用時において位置決めおよび安定化構造３３００によって密閉位置において保持され得る。図示のように、位置決めおよび安定化構造３３００は、ヘッドギア６０００の形態をとる。
【００７９】
１つの形態の本技術において、患者が睡眠時に装着されるように構成された位置決めおよび安定化構造３３００が提供される。一例において、位置決めおよび安定化構造３３００は、装置の感知される嵩または実際の嵩を低減するように、目立たない外形または断面厚さを有する。一例において、位置決めおよび安定化構造３３００は、矩形断面を有する少なくとも１つのストラップを含む。一例において、位置決めおよび安定化構造３３００は、少なくとも１つの平坦ストラップを含む。
【００８０】
１つの形態の本技術において、位置決めおよび安定化構造３３００は、織物患者接触層、発泡材料内側層および織物外側層の積層物から構成されたストラップを含む。１つの形態において、発泡材料は、湿気（例えば、汗）がストラップを通過できるような多孔性である。１つの形態において、織物外側層は、フック材料部分と係合するループ材料を含む。
【００８１】
特定の形態の本技術において、位置決めおよび安定化構造３３００は、伸張可能である（例えば、弾力性と共に伸張可能である）ストラップを含む。例えば、ストラップは、使用時にはピンと張った状態にされて、クッションを患者の顔の一部と密着させる力を方向付けるように、構成され得る。一例において、ストラップは、タイとして構成され得る。
【００８２】
本技術の特定の形態において、位置決めおよび安定化構造３３００は、屈曲可能であり例えば非剛性であるストラップを含む。本様相の利点として、患者が睡眠時に体を横たえたときにストラップがより快適になっている点がある。
【００８３】
４．３．４  通気
１つの形態において、患者インターフェース３０００は、吐き出されたガス（例えば、二酸化炭素）の押し出しを可能にするように構成および配置された通気部３４００を含む。
【００８４】
本技術による１つの形態の通気部３４００は、複数の穴（例えば、約２０個〜約８０個の穴または約４０個〜約６０個の穴または約４５個〜約５５個の穴）を含む。
【００８５】
通気部３４００は、プレナムチャンバ３２００内に配置され得る。あるいは、通気部３４００は、非連動構造（例えば、回り継ぎ手）内に配置される。
【００８６】
４．３．５  非連動構造（単数または複数）
１つの形態において、患者インターフェース３０００は、少なくとも１つの非連動構造（例えば、回り継ぎ手または球窩）を含む。
【００８７】
４．３．６  接続ポート
接続ポート３６００は、空気回路４１７０への接続を可能にする。
【００８８】
４．３．７  前額支持部
１つの形態において、患者インターフェース３０００は、前額支持部３７００を含む。
【００８９】
４．３．８  窒息防止弁
１つの形態において、患者インターフェース３０００は、窒息防止弁を含む。
【００９０】
４．３．９  ポート
１つの形態の本技術において、患者インターフェース３０００は、プレナムチャンバ３２００内の量へのアクセスを可能にする１つ以上のポートを含む。１つの形態において、これにより、臨床医が補充酸素を供給することが可能になる。１つの形態において、これにより、プレナムチャンバ３２００内のガス（例えば、圧力）の特性を直接測定することが可能になる。
【００９１】
４．３．１０  ヘッドギア
図４Ａ〜図４Ｙに示すヘッドギア６０００は、図示において多様なパターンを含む。図面は白黒線図であり限りがあるため、これらのパターンは、本明細書中明記無き限り、類似であり得る材料および異なり得る材料を読者が区別できるようにするためのものである。本明細書中明記無き限り、これらのパターンは限定的なものとしてみなされるべきではない。
【００９２】
図４Ａ〜図４Ｅは、ヘッドギア６０００を示す。ヘッドギア６０００は、ストラップ（例えば、第１の可撓性材料６００４によって構成されたストラップ６００２）を含む。ストラップ６００２は一般的には、患者の下耳上縁点または側頭骨の領域から呼吸マスク６０２２へ延びる。別のストラップ６００２ａは、患者の頭部の片側上の患者の下耳上縁点または側頭骨の領域から頭頂骨を通って、患者頭部の他方の側部上の患者の下耳上縁点または側頭骨の領域へ延びる。別のストラップ６００２ｂは、患者頭部の片側上の患者の下耳上縁点または側頭骨の領域から延びて、後頭骨および／または僧帽筋ｍ．を包囲し、患者の下耳上縁点または側頭骨の領域内の患者頭部の他方の側部へ延びる。これらの図に示すように、ストラップ６００２ａおよび６００２ｂは、患者頭部の後部および上部に適合しかつクレードルする連続構造を形成する。この連続構造は、患者頭部が円形または楕円を通じて少なくとも部分的に突出するように、円形または楕円に類似するような形状にされ得る。本明細書中明記無き限り、ストラップ６００２ａおよび６００２ｂは、ストラップ６００２と同じ構造または実質的に同じ構造を持ち得る。そのため、簡潔さのため、本明細書においてストラップ６００２として総称する。
【００９３】
ストラップ６００２は長細縁部６００６を含み、第２の可撓性材料６００８が長細縁部６００６の周囲に巻かれている。第２の可撓性材料６００８は、弾性材料であり得る。好適には、第２の可撓性材料６００８は、第１の可撓性材料６００４よりも高レベルの弾性を持つ。例えば、第２の可撓性材料は、衣類用の弾性バンドに用いられるものに類似するかまたは特性が類似し得る。また、ストラップ６００２ａおよび６００２ｂは、ストラップ６００２よりも高弾性であり得る。第２の長細縁部６００７は、長細縁部６００６の反対側にあり、両者によりストラップ６００２の幅が規定される。第２の長細縁部６００７は、長細縁部６００６と実質的に同一であり得る。実際、本技術の長細縁部は全て、類似の方法で形成され得る。そのため、本開示の残り部分においては、長細縁部６００６と異なる他の長細縁部について個別に議論する。
【００９４】
ストラップ６００２ａは、内部において穴を視認することが可能なメッシュスペーサ織物を含み得る。この構成は、より美観が優れている場合があり、また、ヘッドギアがより軽量であるとユーザに感じさせ得る。この構成は、より通気性が高くなり得る。メッシュスペーサ織物は穴が空いているため、ストラップ（例えば、ストラップ６００２および６００２ｂ）がベッドリネンに引っかかりかつ／またははまり込む危険性がある。よって、このようなストラップに対してはメッシュスペーサ織物の使用を回避した方が好適であり得る。頂部ストラップ（例えば、ストラップ６００２ａ）上においてメッシュスペーサ織物を用いた場合、患者の睡眠時において頭部上部はベッドリネンおよび／または枕と接触しないことが多いため、この問題は発生しない可能性がある。
【００９５】
第２の可撓性材料６００８は、長細縁部６００６の周囲に巻かれて、Ｖ字型折り目６０１０を形成する。本明細書中に記載のように、Ｖ字型折り目は、折り目を生成するプロセスを既述することを意図するが、折り目の最終形状を必ずしも反映しない。例えば、図４Ｍに示すように、Ｖ字型折り目６０１０は、丸みのある形状である縁部を有する基礎的な材料に適合し、Ｖ字型折り目６０１０により、断面を見たときにＵ字型に類似し得る構成が得られる。基礎的な材料が比較的肉薄であるかまたは際立った縁部を有する場合、Ｖ字型折り目の最終形状は、図４Ｍに示すものよりもＶ字形状に近い場合がある。Ｖ字型折り目６０１０により、ｍａｙｅｎａｂｌｅヘッドギア６０００全体の周囲の連続縁部またはヘッドギア６０００の任意のサブ部分における連続縁部が可能になる。Ｖ字型折り目６０１０は、外観が極めて魅力的であり得、また、縁材料が複数の部分により構成される場合と比較して、特定の場所における突起物または隆起を円滑に回避する。
【００９６】
第２の可撓性材料６００８は、接着部のストリップを織物縁部に沿って付加する際に用いられ得るＭａｃｐｉマシンモデル番号３３５  ３２号の支援により、Ｖ字型折り目６０１０へ付加され得る。Ｍａｃｐｉマシンモデル番号３３５  ４８は、第２の可撓性材料６００８を折り曲げおよび適用する際に用いられ得る。このようにして、接着部により、長細縁部６００６の近隣のストラップ６００２の対向する表面上に接着部を付加し、第２の可撓性材料６００８を固定することにより、第２の可撓性材料６００８をＶ字型折り目６０１０と共にストラップ６００２へ固定することができる。
【００９７】
Ｖ字型折り目６０１０に用いられる材料には、事前積層された接着部を供給してもよいしまたは供給しなくてもよい。事前積層された接着部を用いない倍、ＭＡＣＰＩマシンを用いて、プロセスおよび／または材料を特定のストラップ材料に適合するように制御することが可能な場所の上に接着部が積層され得る。同じプロセスにおいて、積層後、第２の可撓性材料６００８が、ストラップ材料（例えば、スペーサ織物またはＢｒｅａｔｈ−Ｏ−Ｐｒｅｎｅ（登録商標））へ接合され得る。Ｂｒｅａｔｈ−Ｏ−Ｐｒｅｎｅ（登録商標）ストラップ部分は、例えば超音波溶接、スティッチングまたは他の任意の適切な手段により、共に接続され得る。スペーサ織物ストラップ部分の相互取付は、例えばスティッチングを用いて達成され得る。
【００９８】
第２の可撓性材料６００８は、ストラップ６００２の幅全体に沿ってストラップ６００２の幅全体を包囲し得る。例えば、図４Ａにおいて、ストラップ６００２のうち患者に対向する側は、第２の可撓性材料６００８が長細縁部６００６と実質的に同様の様態で第２の長細縁部６００７へ延びかつ第２の長細縁部６００７の周囲に巻かれるように、第２の可撓性材料６００８によって完全に被覆され得る。あるいは、図４Ｉに示すように、第２の可撓性材料６００８は、ストラップ６００２の幅にわたって延びない倍もあり、その場合、第２の可撓性材料６００８は２つの別個のピースであり得る。この構成により、別の第２の可撓性材料６０２６が必要な場合または望ましい場合に異なる特性を持ち得るように、第２の可撓性材料６００８の代わりに別の第２の可撓性材料６０２６を用いることが可能になる。例えば、別の第２の可撓性材料６０２６は、第２の可撓性材料６００８に用いられる弾性と異なる示量性を備えた弾性を持ち得る。図４Ａおよび図４Ｉ中の構成は、ストラップ６００２の少なくとも１つの側上においては、第２の可撓性材料がストラップ６００２の幅全体にわたって延びないという共通した特徴を共有する。
【００９９】
図４Ｙに示すように、第１の可撓性材料６００４は、材料の層によって形成され得る。例えば、第１の可撓性材料は、スティッチング、接着層、超音波溶接または層を共に接着させるための他の任意の適切な物質またはプロセスによって接着される第３の可撓性材料６０１２および第４の可撓性材料６０１４を含み得る。接着フィルム６０２８が図示される。２つの層のみを図示しているが、任意の数の層が提供され得る。例えば、３つ、４つ以上の層が設けられ得、層の数は、例えば個々の層の特性の組み合わせに基づいて決定され得る。図示のように、第２の可撓性材料６００８は、材料の縁部およびよって当該材料の積層が被覆されるように、材料の層の周囲に巻かれ得る。第２の可撓性材料６００８が充分に不透明である場合、長細縁部６００６に沿って見た場合に積層が視認できない場合がある。
【０１００】
第１の可撓性材料６００４は、任意の可撓性材料（例えば、発泡材料または織物材料）であり得る。織物材料は、スペーサ織物または他の種類の織物または布地であり得る。スペーサ織物は、布地として規定され得、上グラウンド構造または層、下グラウンド構造または層、ならびに上グラウンド構造と下グラウンド構造との間で編まれてマトリックス様布地を形成する浮遊または横断織り糸を有する。上グラウンド構造および下グラウンド構造は、織物から形成され得る。上グラウンド構造は、下グラウンド構造と異なる特性を持ち得、例えば異なる伸縮性、剛性、可撓性、手触りまたは他の特性を持ち得る。上グラウンド構造および下グラウンド構造は、実質的に相互に平行であり得る。スペーサ織物は、よこ編によって形成され得る。少なくとも１つの側（すなわち、上グラウンド構造または下グラウンド構造）は、心地良い手触りにするために例えば約３０〜１００デニール、２０〜３００デニールまたは５０〜２００デニールの織り糸を有する織物から形成され得る。米国特許出願公開第２０１４／０１０２４５６号および第２０１４／０１５８１３６号（双方の文献全体を参考のため援用する）において、スペーサ織物およびヘッドギアに対するいくつかの可能な用途についての記載がある。第１の可撓性材料６００４は、スペーサ材料の場合よりも超音波切断またはダイカットが容易であり得るＢｒｅａｔｈ−Ｏ−Ｐｒｅｎｅ（登録商標）であってもよい。
【０１０１】
図４Ｍおよび図４Ｙは、丸みのある形状である長細縁部６００６を示す。丸みのある形状である縁部は、超音波切断を用いて形成され得る。あるいは、長細縁部６００６は、他の方法（例えば、ダイカット（その場合、より丸みの少ない形状になる）またはさらには隣接する表面間の垂直交差）によって形成され得る。
【０１０２】
図４Ｅ中に最良に示すように、ストラップ６００２は、第１の可撓性材料６００４からメッシュ材料６０３０として図示される別の可撓性材料へ変化する。しかし、任意の可撓性材料（例えば、織物または発泡材料またはその層）が用いられ得る。そのため、ストラップ６００２の第１の可撓性ストラップ部分６０３２は、第１の可撓性材料６００４を含み、ストラップ６００２の第２の可撓性ストラップ部分６０３４は、メッシュ材料６０３０を含む。第１の可撓性ストラップ部分６０３２が第２の可撓性ストラップ部分６０３４に接合する箇所においては、交差６０３６は、第２の可撓性材料６００８によって被覆される。第２の可撓性材料は、第１の長細縁部６００６および第２の長細縁部６００７と、ストラップ部分間の交差６０３６とに沿って延びる。よって、第２の可撓性材料６００８の一部は、交差６０３６において規定された長細縁部６００６に対して横方向の短縁部に沿って延びる。交差６０３６は、図４Ｈ中に最良に図示される。所望の場合または交差部を露出させたままにしてもよい場合、交差６０３６を被覆するために異なる材料を用いてもよい。例えば、図４Ｊを参照されたい。交差６０３６において、材料は、任意の適切なおよび／または簡便な方法によって接合され得る。２つの例として、ジグザグ縫い（１種のスティッチング）および超音波溶接がある。別の材料接合方法の例について、図４Ｔを参照して以下に説明する。
【０１０３】
異なる材料から構成された第１の可撓性ストラップ部分６０３２および第２の可撓性ストラップ部分６０３４を設けることにより、ヘッドギア６０００の特性を制御することができる。例えば、１つの部分の伸縮性を別の部分よりも高くすることができる。このようにすると、ヘッドギア６０００の異なる部分の近隣の解剖学的構造の相対的動きに基づいて恩恵が得られ得る。図４Ｅにおいて、第１のストラップ部分６０３２は、患者の頭蓋骨に相対して動き得る患者の顎部に隣接する。一方、第２のストラップ部分６０３４は、動くことが無い患者の頭蓋骨の一部の近隣に配置される。よって、第１のストラップ部分６０３２は、使用時において患者の動きに対応するように伸縮することができる。また、異なる伸縮量は、患者がヘッドギア６０００を装着または脱着する際に有用であり得る。よって、ヘッドギア６０００の上記および他の様相は、異なる可撓性材料の使用およびその接合により、最適化され得る。第１の可撓性ストラップ部分６０３２および第２の可撓性ストラップ部分６０３４のうち一方または双方は、スペーサ織物から構成され得るが、その特性（例えば、使用される織り方または繊維）は、スペーサ織物の機能が異なるように所望の弾性量が得られるように、選択される。弾性を持つかまたは実質的に非弾性であるスペーサ織物または他の織物が用いられ得る。よって、いずれかのストラップ部分は、弾性を持つかまたは実質的に非弾性であり得る。
【０１０４】
図４Ｆは、完全に組み立てられる前の、平坦状態にあるヘッドギア６０００を示す。本図が示しているのは、ヘッドギア６０００が平坦に形成することができ、組立後のヘッドギアが患者頭部の複雑な形状にフィットし得ることである。図４Ｆにおいて、ストラップ６００２ｂ（図中の上部および下部）の自由端が共に接続され得、ストラップ６００２の自由端が呼吸マスク６０２２へ接続されることにより、図４Ａ〜図４Ｅに示す構成が得られる。この構成により、異なるストラップ部分のための多様なストラップ材料を相互に接合させることが可能になる。第２の可撓性材料６００８は、１つの連続的かつ／または途切れないピース（例えば、１枚のシートから切除されたもの）であり得、ヘッドギア６０００の患者側（すなわち、図４ｆ中の下側または視認できない側）へ付加された後、長細縁部６００２の周囲に巻かれる。接着シートが、第２の可撓性材料６００８を取り付けるために用いられ得る。接着シートは、単一の接着シート（可撓性材料６００８について上記したものと類似のもの）から切断してもよいし、あるいは、異なる構成要素に切断してもよい。この選択肢は、例えば異なる種類の接着部がヘッドギアの異なる領域により良く適合する場合に恩恵を授け得る。例えば、第２の可撓性材料６００８を異なるストラップ材料へ接合するために、異なる種類の接着部がより適合し得る。ヘッドギアが使用時において異なる伸縮レベルを経験する可能性のある領域においては、異なる種類の接着部が望ましい場合がある。異なる接着要求または組立要求を達成するためには、他の種類の接着（例えば、液状の状態で付加される接着（例えば、接着部上での刷毛塗りまたはスプレー））が望ましい場合もある。
【０１０５】
図４Ｇは、図４Ｆのヘッドギアを示すが、非平坦状態においては、患者に対向する側の部分を視認することができる。
【０１０６】
図４Ｔは、ストラップ部分を共に接合する１つの方法を示す。１つのストラップ部分の第１の層６０３８が、第２のストラップ部分の第２の層６０４０と第３の層６０４２との間に挿入され得る。第２の層６０４０および第３の層６０４２は、接着部６０４４の層または第２の層６０４０および第３の層６０４２の端部へ延びない他の任意の適切な接合プロセスにより、接続され得る。接着部６０４４の層は、接着フィルム６０２８と同じであってもよいし、異なっていてもよい。その結果得られるストラップ構造は、長細縁部６００６に沿って見たとき、実質的にＹ字形状である。その後、第１の層６０３８をＹ字形状に挿入し、接着部６０４４のさらなる層または他の任意の適切な接合プロセスにより第２の層６０４０と第３の層６０４２との間に固定することができる。この種の接合技術は、例えば図４Ｅおよび図４Ｉに示すように患者側から見たときに（例えば、ストラップの幅側から見たときに）３本の脚部を一緒にしてＹ字形状の外形６０４６を形成する場合に適用され得る。
【０１０７】
第２の層６０４０および第３の層６０４２は、有利に異なる特性を持ち得る。例えば、第２の層６０４０および第３の層６０４２のうち１つは、面ファスナの半分（例えば、ループハーフ）であり得る。第１の層６０３８は、面ファスナの他方の半分（例えば、フックハーフ）であり得る。この構成により、例えば図４Ｓに示すようにストラップ自体に接続することが可能になる構成をストラップに持たせることが可能になる。
【０１０８】
図４Ｊおよび図４Ｋは、異なる層を含む構造の結果、別個の材料および／または材料交差により、ヘッドギアの患者側（例えば、図４Ｋ）と、ヘッドギアの外側（例えば、図４Ｊ）とが得られ得る様子を示す。第２の材料６００８との任意の交差を含まず、図４Ｊの４つのパターンは４つの異なる交差を示し、図４Ｋの３つのパターンは、２つの交差のみを示す。その結果は、図示に示すように視覚的に別個であってもよいし、別個でなくてもよく、選択された材料の視覚的差が有る場合、このような差に依存する。
【０１０９】
図４Ｏおよび図４Ｐは、異なる材料が交差し、患者側と外側とにおいて異なる構成を有する点において、図４Ｊおよび図４Ｋに類似する。しかし、図４Ｏおよび図４Ｐは、患者側の部分およびヘッドギアの外側部分において異なる材料が用いられているのに、同一数の交差がヘッドギアの患者側および外側上において存在する点において異なる。これらの図において、ストラップ６００２ｂは、弾性材料であり得る。
【０１１０】
二層構造の別の恩恵として、ストラップの患者に対向する側において、患者から離隔する側と異なる特性を持たせることができる点がある。例えば、ストラップの患者に対向する側は好適には柔らかなタッチまたは感触にして刺激を避けると好適であり得る。可撓性材料はこのような特性は持たないものの、ヘッドギア内における使用に適した構造統合性を提供する。あるいは、可撓性材料が適切な構造統合性ならびに適切な柔らかなタッチおよび感触を持つものの、当該可撓性材料が面ファスナのフックの接続にはあまり適切ではない場合（例えば、表面が完全なループを含まない場合）がある。そのような場合、面ファスナのループハーフを層の外側として取り付けることができる。あるいは、完全なループを有する織物を用いてもよい。
【０１１１】
図４Ｌは、ストラップｓ６００２が平坦状態において実質的に直線状であり、上記した二層構造を用い得る点を除いて、図４Ｉに類似する。ストラップ６００２は、ストラップを折り畳んで、フック材料６０４８に隣接する材料に取り付けることができるよう、フック材料６０４８を含み得る。
【０１１２】
図４Ｈおよび図４Ｉは、ヘッドギア６０００の２つの組立段階を示す。図４Ｈにおいて、多様なストラップを共に取り付けて、ヘッドギアの基本的形状を形成する。図４Ｈにおいて用いられる異なるパターンによって示すように、多様なストラップおよびストラップ部分が、異なる材料によって形成され得る。図４Ｈは、第２の可撓性材料６００８が省略されているため、第２の可撓性材料６００８が多様な縁部に沿って配置されている様子を示す図４Ｉと比較して早期の組立段階を示し得る点において、最も顕著に図４Ｉと異なる。
【０１１３】
図４Ｈおよび図４Ｉ中のヘッドギア６０００の構成における２つの顕著な差を強調する必要がある。第１に、呼吸マスクについて接続部が図示されていない。例えば図４Ｎおよび図４Ｕに示すような穴６０１８をストラップ６００２において設けることができるが、これらの図面の明瞭さのために省略している。第２に、ストラップ６００２ｂの間において図示されている弾性ストラップ６０４８により、ストラップ６００２ｂの端部が接続されている。このような弾性ストラップ６０４８は、本開示中に示すヘッドギアのうちいずれかに設けられ得る。弾性ストラップ６０４８は、ヘッドギアのサイズが１つしか無い場合に多様な頭部サイズの患者に対してより高い調整性または快適性を提供するなどの恩恵を提供し得る。また、弾性ストラップ６０４８により、他の比較的複雑な調整配置（例えば、バックルまたは他の締結具）の省略または低減も可能になる。このようなバックルまたは締結具を省略すると、通常の使用時にはストラップを分解する必要が無いが調整は必要になり得るヘッドギア分野において恩恵が得られ得る。
【０１１４】
図４Ａ、図４Ｂ、図４Ｄ、図４Ｅ、図４Ｎ、図４Ｑ、図４Ｓおよび図４Ｕ〜図４Ｘは、呼吸マスク６０２２用の接続部６０１６を示す。図４Ｎ、図４Ｑ、図４Ｓおよび図４Ｕ〜図４Ｘにおいて、接続部６０１６を、ストラップ６０２０を通過する穴６０１８の形態で図示する。穴６０１８は、呼吸マスク６０２２がストラップ６０２０を少なくとも部分的に通過または突出するような、呼吸マスク６０２２の一部の外周に適応するようなサイズであり得る。ストラップ６０２０は、２つの長細縁部６００６および６００７が設けられる点において、ストラップ６００２に類似し得る。これら２つの長細縁部６００６および６００７はそれぞれ、第２の可撓性材料６００８のＶ字型折り目６０１０によって被覆され得る。あるいは、Ｖ字型折り目６０１０は、異なる材料から構成され得る。穴６０１８にＶ字型折り目６０１０（例えば図４Ｕおよび図４Ｖを参照）を設けてもよいし、あるいは、Ｖ字型折り目を省略してもよい（例えば、図４Ｎ、図４Ｑ、図４Ｓ、図４Ｗおよび図４Ｘを参照）。ストラップ６０２０の対向する端部上において、ループ６０２４は、別のストラップが内部を通過できるように設けられ得る。例えば、図４Ｑ〜図４Ｓを参照されたい。ループ６０２４は、ヘッドギア６０００の２つの異なるストラップを相互に接続することが可能なように図４Ｓに示すようにストラップ自体に接続することが可能なストラップと共に、用いられ得る。この配置により、「セットした後は忘れる」配置が可能になるため、ユーザは、初期セットアップ後に長さを調節する必要が無い。ユーザは、好適にはヘッドギアが弾性であるときにマスクをヘッドギアとしてスライドして取り外しおよび取り付けするだけで、マスクの装着／脱着を行うことができる。
【０１１５】
ストラップ６００２およびストラップ６０２０は、１６ｍｍ〜２４ｍｍの幅またはこれらの値の間の任意の値を持ち得る。例えば、幅は、約２０ｍｍであり得る。ストラップ幅が狭すぎる場合、皮膚に突き刺さる（すなわち、跡が残る）。また、ストラップ幅が狭すぎる場合、幾何学的配置に起因して、ストラップにしわ、よじれおよび／または折り目が発生する可能性が高くなる。特定のレベルの幅を用いれば、幾何学的配置を介してサイドストラップに剛性が付与され得る。ストラップ幅が広すぎる場合、ユーザの顔との物理的接触の可能性が高まるため、不快感に繋がり得、また幅の増加は重量増加にも繋がる。
【０１１６】
ループ６０２４は、弾性材料６０５０のループによりストラップ６０２０へ取り付けられ得る。穴６０１８の代替例として、溝（図示せず）が、ループ６０２４と同様の呼吸マスク６０２２上に設けられ得る。穴６０１８の別の代替例として、マスク上の面ファスナの半分と、ストラップ６０２０上の他方の半分（図示せず）とを提供することがある。例えば、ストラップ６０２０上に設けられたループにより、フックが呼吸マスク６０２２上に設けられ得る。別の代替例として、接着部を用いてストラップ６０２０を呼吸マスク６０２２へ取り付けることがある。
【０１１７】
ループ６０２４の恩恵として、ストラップ６０２０（これは、患者の顔または頭部の各側上にストラップ部分が有るため、サイドストラップと呼ばれ得る）の長さを調節することが可能である点がある。このようなサイドストラップの場合、特定の種類のマスク（例えば、鼻クレードルまたは鼻枕マスク）の場合に（フルフェイスマスクまたは鼻マスクと比較して）より大きな力が必要になり得る。ループ６０２４またはバックルが、患者のこめかみに近接しかつ患者のこめかみよりも低い位置にあるサイドストラップの遠位端に設けられ得る。バックルの位置については、患者が横を向いて寝る場合の快適性目的のため、好適には骨を避けるとよく、また、使用時において患者の顔の肉のある部分に隣接するとよい。また、このバックルの位置により、サイドストラップが曲線状に患者の頬に近密に沿うことが可能になり、その結果より円滑かつ美観的に快適になる。バックルが眼に接近し過ぎることになり、患者によって邪魔になりかつ／または不快になるため、バックルを余り高い位置に配置しない方が好適である。ループ６０２４またはバックルをストラップ６０２０上に設ける方が、ユーザにとってより直観的であり得るため、ループ６０２４またはバックルを噛み合い構成要素上に設ける方よりも好適であり得る。
【０１１８】
図５Ａ〜図５Ｎは、組立の多様な段階における別のヘッドギア６０００を示す。
【０１１９】
図５Ａに示すストラップ部６０５２は、主に台形として図示されているが、ヘッドギア６０００の所望の全体的形状を達成するよう、１つ以上の縁部を含む任意の形状を必要に応じて用いて良い。ストラップ部６０５２の材料は、任意の適切な材料でよいが、複数の種類の層（例えば、スペーサメッシュ材料）を含む図示のメッシュ材料６０３０の一例である。最上層が、比較的狭い織り方６０５６（例えば、繊維間の開口部が比較的より小さな織り方）によって包囲された比較的大きな開口部６０５４を含む様子が図示されている。その真下の層（比較的大きな開口部６０５４を通じて視認可能）が、繊維間の中間サイズの開口部６０５８により実質的に均一の織り方として図示されている。裏側は、繊維間の任意の開口部が図５Ａ中に記載の縮尺では視認できないくらいに充分に狭い織り方であり得る。ストラップ部６０５２は、第１の縁部６０６０、第２の縁部６０６２、第３の縁部６０６４および第４の縁部６０６４を含む。
【０１２０】
図５Ｂは、第１の縁部６０６０を別の材料（例えば、第２の可撓性材料６００８）のＶ字型折り目６０１０によって被覆した後でありかつトリミングを行う前の段階のストラップ部６０５２を示す。図５Ｃは、トリミング後を示す。図５Ｄは、図５Ｃと比較して反対側からのストラップ部６０５２を示す。図５Ａ〜図５Ｄは、メッシュ材料６０３０の詳細を示す。以下の図は、図５Ａについて上述したメッシュ層の詳細な例示のパターンを置換することにより、詳細な図示を簡略化する。
【０１２１】
図５Ｅは、組立前は平坦に配置され、相互に隣接しているヘッドギアの多様な構成要素（例えば、左クラウンピース６０６８、右クラウンピース６０７０、上クラウンピース６０７２、左下ストラップピース６０７４、左上ストラップピース６０７６、右下ストラップピース６０７８および右上ストラップピース６０８０）を示す。図示のように、左クラウンピース６０６８、右クラウンピース６０７０および上クラウンピース６０７２は、第１の材料（例えば、スペーサメッシュ）から構成され、材料の字型折り目６０１０が、各ピースの１つの縁部に沿って付加される。左下ストラップピース６０７４、左上ストラップピース６０７６、右下ストラップピース６０７８および右上ストラップピース６０８０は、別の材料（例えば、スペーサ織物ＵＢＬ‐完全なループ‐材料）から構成されるが、縁部を被覆するＶ字型折り目は含まない。左下ストラップピース６０７４、左上ストラップピース６０７６、右下ストラップピース６０７８および右上ストラップピース６０８０はそれぞれ、フック材料６０４８の断片を含み、これにより、各断片を折り畳んで接着させることが可能になる。
【０１２２】
図５Ｆは、図５Ｅのピースのうち２つの間の例示的接合部６０８２を示す。図示のように、接合部は、隣接する縁部を接続させるジグザグ縫い目を含む。しかし、他の接合配置も可能である。例えば、構成要素を（隣接させる代わりに）重複させることができ、接合プロセスは任意の適切な接合プロセスであればよい。例えば、接合プロセスの例を挙げると、溶接、接着部または別のスティッチングがある。
【０１２３】
図５Ｇは、図５Ｅの構成要素を示す。図５Ｇにおいて、隣接する構成要素は全て、接合されている（例えば、共に縫い付けられている）。
【０１２４】
図５Ｈは、隣接するヘッドギア構成要素間において接合部を被覆するプロセスの２つの段階を示す。上側接合部６０８２ａにおいて、接合部の上（視認可能）側のみが、第２の材料６００８によって被覆される。下側接合部６０８２ｂにおいて、第２の材料６００８を接合部６０８２ｂの長さの周囲において環状に設けて、下側接合部６０８２ｂの前側および後側ならびに接合部の端部を被覆する。
【０１２５】
図５Ｉは、図５Ｈ中の下側接合部６０８２ｂと同様に接合部６０８２全てが第２の材料６００８によって被覆される点を除いて、図５Ｇのアセンブリを示す。図５Ｊは、第２の材料６００８の部分全てにおいて余分な材料がトリミングされている点を除いて、図５Ｉと実質的に同じである。
【０１２６】
図５Ｋは、さらなる２つのステップが行われた後のヘッドギア６０００を示す。第１に、第２の材料６００８の別のＶ字型折り目６０１０が、形成するヘッドギア６０００の縁部６０８６と、頭頂および後頭骨を含むユーザの頭部の領域（例えば、ユーザの頭部の上領域および裏領域）の周囲にフィットする開口部６０８８との全てに沿って付加される。第２に、左下ストラップピース６０７４および右下ストラップピース６０７８を共に接合して開口部６０８８を完成させるように、最終接合部６０９０を形成する。
【０１２７】
図５Ｌは、第２の材料によって被覆されたトリミング前の最終接合部６０９０を示し、図５Ｍは、全組立ステップ後のヘッドギア６０００を示す。この組立順により、ユーザと接触し、ユーザにとって刺激となる可能性のあるあらゆる接合部が被覆および／または最小化される。
【０１２８】
図５Ｎは、中間ストラップ配置７０００を介して患者インターフェース３０００へ取り付けられたヘッドギア６０００を示す。中間ストラップ配置７０００は、実質的にＴ字型部分７００２と共に患者の頭部の側部に沿って延び、ここで、Ｔ字型形状の「上部」は、右上ストラップピース６０８０および右下ストラップピース６０７８と（ストラップのＵＢＬ部分に取り付けられた図示しないフック材料６０４８を介して）協働して、ヘッドギア６０００を中間ストラップ配置７０００へ接続させるループ７００４を含む。ユーザの頭部の左側上にも、左上ストラップピース６０７６および左下ストラップピース６０７１と共に類似の配置が設けられ得る。この配置により、ヘッドギア６０００の一部がユーザの耳の上方に延び、別の部分がユーザの耳の下側に延びる。耳の上方および下方において調節可能であるため、広範囲の頭部および／または顔形状および／またはサイズに対応可能になる。ヘッドギア６０００および中間ストラップ配置７０００は、位置決めおよび安定化構造３３００の一例を共に形成する。
【０１２９】
図５Ａ〜図５Ｎにおいて特定の材料、接合部などを図示しているが、特定の位置において、本技術は、他の構成に適用可能である。例えば、スペーサメッシュ以外の材料を左クラウンピース６０６８、右クラウンピース６０７０および上クラウンピース６０７２に用いてもよく、かつ／または、接合部を別の場所に配置してもよい。
【０１３０】
少なくとも図５Ａ〜図５Ｎに関連する開示は、極めて軽量であり（かつ洗浄後の乾きも早くかつ通気性に優れた）ヘッドギアを提供し得るため、軽量マスクおよびよって患者快適性の向上に貢献する。この軽量ヘッドギアは、粗い縁部が皮膚を刺激しないようにヘッドギアストラップの縁部を仕上げることと、縁部における材料（が仕上げられていない場合に）材料の擦り切れを回避することによりヘッドギアの寿命を確保することとにより、開示のようにスペーサメッシュ（例えば、スペーサメッシュ織物）材料をスペーサ織物ＵＢＬ材料へ接合し、患者快適性を確保することにより、達成され得る。スペーサメッシュ材料には多様な利点があるものの、スペーサメッシュ材料の縁部を従来の超音波溶接技術を用いて仕上げることは困難または非実際的である場合がある。本技術は、ヘッドギアの縁部全てをより快適かつよりすり切れの少ない様態で仕上げることが可能である点において、この問題に対して解決法を提供する。
【０１３１】
上記したヘッドギア関連技術により、多様な効果が最適化され得る。例えば、Ｖ字型折り目６０１０中に付加される第２の可撓性材料６００８の厚さおよび／または第２の可撓性材料６００８をＶ字型折り目６０１０中へ接着させる際に用いられる接着部の厚さを変更することにより、手触りおよび剛性の最適化が可能になる。例えば、第２の可撓性材料６００８および接着部が比較的肉薄である場合、柔らかい手触りおよび平坦なシームが達成され得るが、その場合、ヘッドギアは自身の全体形状を比較的良好に保持できない可能性がある。第２の可撓性材料６００８および接着部が比較的肉厚である場合、ヘッドギアは自身の形状を良好に保持できるが、硬すぎるため、快適性に乏しくなる。
【０１３２】
４．４  用語集
本技術の開示目的のため、本技術の特定の形態において、以下の定義のうち１つ以上が適用され得る。本技術の他の形態において、別の定義も適用され得る。
【０１３３】
４．４．１  一般
空気：本技術の特定の形態において、空気は大気を意味し得、本技術の他の形態において、空気は、他の呼吸可能なガスの組み合わせ（例えば、酸素を豊富に含む大気）を意味し得る。
【０１３４】
雰囲気：本技術の特定の形態において、「雰囲気」という用語は、（ｉ）治療システムまたは患者の外部、および（ｉｉ）治療システムまたは患者を直接包囲するものを意味するものとしてとられるべきである。
【０１３５】
例えば、加湿器に対する雰囲気湿度とは、加湿器を直接包囲する空気の湿度であり得る（例えば、患者が睡眠をとっている部屋の内部の湿度）。このような雰囲気湿度は、患者が睡眠をとっている部屋の外部の湿度と異なる場合がある。
【０１３６】
別の例において、雰囲気圧力は、身体の直接周囲または外部の圧力であり得る。
【０１３７】
特定の形態において、雰囲気（例えば、音響）ノイズは、例えばＲＰＴデバイスから発生するかまたはマスクまたは患者インターフェースから発生するノイズ以外の、患者の居る部屋の中のバックグラウンドノイズレベルとみなすことができる。雰囲気ノイズは、部屋の外のソースから発生し得る。
【０１３８】
呼吸圧力治療（ＲＰＴ）：雰囲気に対して典型的には正である治療圧力における空気供給の気道入口への付加。
【０１３９】
経鼻的持続陽圧呼吸療法（ＣＰＡＰ）療法：治療圧力が患者の呼吸サイクルを通じてほぼ一定である呼吸圧療法。いくつかの形態において、気道への入口における圧力は、呼気時において若干上昇し、吸入時において若干低下する。いくつかの形態において、圧力は、患者の異なる呼吸サイクル間において変動する（例えば、部分的な上側気道妨害の通知の検出に応答して増加され、部分的な上側気道妨害の通知の不在時において低減される）。
【０１４０】
患者：呼吸疾患に罹患しているかまたはしていない人。
【０１４１】
自動的な正の気道圧力（ＡＰＡＰ）療法：ＳＤＢ発症の通知の存在または不在に応じて、例えば、呼吸間に最小限界と最大限界との間で治療圧力を自動的に調節することが可能なＣＰＡＰ療法。
【０１４２】
４．４．２  顔の解剖学的構造
翼：外部の外壁または各鼻孔の「翼」（複数形：ａｌａｒ）
Ａｌａｒｅ：鼻翼上の最外側の点。
【０１４３】
翼曲率（または翼頂）点：各翼の曲線状基準線における最後方点であり、翼および頬の結合によって形成される折り目において見受けられる。
耳介：耳の視認できる部分全体。
【０１４４】
（鼻）骨格：鼻の骨格は、鼻骨、上顎骨の前頭突起および前頭骨の鼻部分を含む。
【０１４５】
（鼻）軟骨格：鼻の軟骨格は、中隔軟骨、外側軟骨、大軟骨および小軟骨を含む。
【０１４６】
鼻柱：鼻孔を分離する皮膚片であり、鼻尖点から上唇へ延びる。
【０１４７】
鼻柱角度：鼻孔の中点を通じて引かれる線と、鼻下点と交差しつつフランクフルト水平に対して垂直に引かれる線との間の角度。
【０１４８】
フランクフォート水平面：眼窩縁の最下側点から左耳点へ延びる線。耳点は、ノッチ上側から耳介の耳珠への最も深い点である。
【０１４９】
眉間：軟組織中に配置され、前額部の正中矢状において最も顕著な点。
【０１５０】
外側鼻軟骨：軟骨の概して三角形の板。その上側周縁は鼻骨および上顎骨の前頭突起へ取り付けられ、その下側周縁は大鼻翼軟骨へ接続される。
【０１５１】
唇、下側（下唇中点）：
【０１５２】
唇、上側（上唇点）：
【０１５３】
大鼻翼軟骨：軟骨の板であり、外側鼻軟骨の下側に配置される。これは、鼻孔の前方部分の周囲において曲線状になる。その後端は、３つまたは４つの翼の小軟骨を含む強靱な線維膜により、上顎骨の前頭突起へ接続される。
【０１５４】
鼻孔（小鼻）：概して楕円体の翼穴であり、鼻腔への入口を形成する。鼻孔の単数形は鼻孔（小鼻）である。これらの鼻孔は、鼻隔膜によって分離される。
【０１５５】
鼻唇溝または鼻唇折り目：皮膚の折り目または溝であり、鼻の各側から口腔の角部へ延びて、頬を上唇から分離させる。
【０１５６】
鼻唇角：鼻柱と上唇との間の角度であり、鼻下点と交差する。
【０１５７】
下耳下縁点：耳介の顔の皮膚への取り付けの最低点。
【０１５８】
下耳上縁点：耳介の顔の皮膚への取り付けの最高点。
【０１５９】
鼻尖点：鼻の最も突出した点または先端であり、頭部の部分の残り部分の側面図中に確認され得る。
【０１６０】
人中：鼻隔膜の下側境界から上唇領域中の唇の上部へ延びる正中線溝。
【０１６１】
ポゴニオン：軟組織上に配置された、顎の最前方中点。
【０１６２】
鼻梁（鼻）：鼻堤は、鼻の正中線隆起であり、セリオンから鼻尖点へ延びる。
【０１６３】
矢状面：前方（前）から後方（後）へ続く垂直面であり、本体を右半分および左半分に分割する。
【０１６４】
セリオン：軟組織上に配置された、前頭鼻骨縫合の領域上の最も凹状の点である。
【０１６５】
中隔軟骨（鼻）：鼻中隔軟骨は、隔膜の一部であり、鼻腔の前部分を分割する。
【０１６６】
鼻翼最下点：翼ベースの下側周縁における点であり、翼ベースは上（上）唇の皮膚と接合する。
【０１６７】
鼻下点：軟組織上に配置され、鼻柱が正中矢状における上唇と合体する点。
【０１６８】
スプラメンターレ：下唇中点と軟組織ポゴニオンとの間の下唇の正中線中の最も凹状の点。
【０１６９】
４．４．３  頭蓋骨の解剖学的構造
前頭骨：前頭骨は、前額部として知られる領域に対応する大型垂直部分である前頭鱗を含む。
【０１７０】
下顎：下顎は、下側顎部を形成する。オトガイ隆起は、顎部の骨隆起であり、顎を形成する。
【０１７１】
上顎骨：上顎骨は、上側顎部を形成し、下顎の下側および眼窩の下側に配置される。上顎骨の前頭突起は、鼻の側部によって上方に突出し、その外側境界の部分を形成する。
【０１７２】
鼻骨：鼻骨は、２つの小さな長方形骨であり、個人によってサイズおよび形態が異なる。鼻骨は、顔の中間部分および上部分に並んで配置され、その接合により鼻の「ブリッジ」を形成する。
【０１７３】
ナジオン：前頭骨および２本の鼻骨の交差であり、眼と鼻のブリッジの上側との間に直接設けられた凹領域である。
【０１７４】
後頭骨：後頭骨は、頭蓋の裏および下側部分に配置される。後頭骨は、楕円穴である大後頭孔を含み、この穴を通じて、頭蓋内腔が椎管と連痛する。大後頭孔の後側の曲面板は、後頭鱗である。
眼窩：頭蓋骨中の骨空洞であり、眼球を含む。
【０１７５】
頭頂骨：頭頂骨は、相互に接合されると頭蓋の頂部および側部を形成する骨である。
【０１７６】
側頭骨：側頭骨は、頭蓋骨のベースおよび側部上に配置され、こめかみとして知られる顔の部分を支持する。
【０１７７】
頬骨：顔に含まれる２つの頬骨は、顔の上側部分および外側部分中に配置され、頬の隆起を形成する。
４．４．４  呼吸系の解剖学的構造
【０１７８】
横隔膜：シート状の筋肉であり、胸郭下部上に延びる。横隔膜は、心臓、肺および肋骨を含む胸腔を腹腔から分離させる。横隔膜が収縮すると、胸腔の容量が増加し、肺中に空気が引き込まれる。
【０１７９】
喉頭：声帯ひだを収容する喉頭または発声器であり、咽頭の下部（下咽頭）を気管へ接続させる。
【０１８０】
肺：ヒトにおける呼吸臓器。肺の伝導性ゾーンは、気管、気管支、気管支、および終末細気管支を含む。呼吸ゾーンは、呼吸気管支、肺胞管および肺胞を含む。
【０１８１】
鼻腔：鼻腔（または鼻窩）は、顔の中央の鼻の上方および後方の空気が充填された大きな空間である。鼻腔は、鼻中隔と呼ばれる垂直フィンによって２つに分割される。鼻腔の側部には、鼻甲介（単数形は「甲介」）または鼻甲介と呼ばれる３つの水平伸長物がある。鼻腔の前方には鼻があり、後方は後鼻孔を介して鼻咽頭内に繋がる。
【０１８２】
咽頭：鼻腔の直接下側（下方）に配置されかつ食道および喉頭の上方に配置された咽喉の部分。咽頭は、従来から以下の３つの部分へ区分される：鼻咽頭（上咽頭）（咽頭の鼻部分）、中咽頭（中咽頭）（咽頭の口部分）、および咽喉（下咽頭）。
【０１８３】
４．４．５  材料
シリコーンまたはシリコーンエラストマー：合成ゴム。本明細書において、シリコーンについて言及される場合、液体シリコーンゴム（ＬＳＲ）または圧縮成形シリコーンゴム（ＣＭＳＲ）を指す。市販のＬＳＲの一形態として、Ｄｏｗ  Ｃｏｒｎｉｎｇによって製造されるＳＩＬＡＳＴＩＣ（この登録商標下において販売される製品群に含まれる）がある。別のＬＳＲ製造業者として、Ｗａｃｋｅｒがある。他に逆の明記無き限り、例示的形態のＬＳＲのＡＳＴＭＤ２２４０によって測定した場合のショアＡ（またはタイプＡ）押込み硬さは、約３５〜約４５である。
【０１８４】
ポリカーボネート：典型的には、ビスフェノールＡカーボネートの透明な熱可塑性ポリマーである。
【０１８５】
４．４．６  患者インターフェースの様相
窒息防止弁（ＡＡＶ）：マスクシステムの構成要素またはサブアセンブリであり、フェールセーフ様態での雰囲気中への開口により、患者による過度のＣＯ２の再呼吸の危険性を低減させる。
【０１８６】
肘：角度を通じて角度を変化させるように空気流れ軸を方向付ける導管。１つの形態において、角度はおよそ９０度であり得る。別の形態において、角度は、９０度未満であり得る。導管は、ほぼ円形の断面を持ち得る。別の形態において、導管は、楕円または矩形の断面を持ち得る。
【０１８７】
フレーム：フレームは、ヘッドギアを接続する２つ以上の点間の引張荷重を支持するマスク構造を意味するものとしてとられる。マスクフレームは、マスク中の非気密負荷支持構造であり得る。しかし、いくつかの形態のマスクフレームは、気密であってもよい。
【０１８８】
ヘッドギア：ヘッドギアは、頭部上において使用されるように設計された、１つの形態の位置決めおよび安定化構造を意味するものとしてとられる。上記したものに追加してまたは代替して、ヘッドギアは、患者インターフェースを呼吸治療の送達のために患者の顔上の所定位置に配置および保持するように構成された１つ以上の支柱、タイおよび補剛材の集合を含み得る。いくつかのタイは、柔らかい可撓性の弾性材料（例えば、発泡材料および／または織物の層状複合材）によって形成され得る。
【０１８９】
膜：膜は、典型的には肉薄の要素を意味するものとしてとられ、好適には屈曲に対して実質的に抵抗せずかつ伸縮に対しては抵抗する。
【０１９０】
プレナムチャンバ：マスクプレナムチャンバは、空間の容積を少なくとも部分的に封入する壁を有する患者インターフェースの一部を意味するものとしてとられ、容積中の空気は、加圧されて使用時において気圧を超える。シェルは、マスクプレナムチャンバの壁の一部を形成し得る。
【０１９１】
密閉：名詞（「密閉」）の場合、２つの表面のインターフェースを通過する空気流れに意図的に抵抗する構造または障壁を意味するものとしてとられる。動詞（「密閉する」）の場合、空気流れに抵抗することを意味する。
【０１９２】
シェル：シェルは、屈曲、引っ張りおよび圧縮剛性を有する曲線状の比較的肉薄構造を意味するものとしてとられる。例えば、マスクの曲線状構造壁は、シェルであり得る。いくつかの形態において、シェルはファセットされ得る。いくつかの形態において、シェルは気密であり得る。いくつかの形態において、シェルは気密でない場合もある。
【０１９３】
補剛材：補剛材は、別の構成要素の剛軟度を少なくとも１つの方向において増加させるように設計された構造構成要素を意味するものとしてとられる。
【０１９４】
支柱：支柱は、別の構成要素の圧縮抵抗を少なくとも１つの方向において増加させるように設計された構造構成要素を意味するものとしてとられる。
【０１９５】
回り継ぎ手：（名詞）構成要素のサブアセンブリであり、共通軸の周囲において好適には独立して好適には低トルク下において回転するように構成される。１つの形態において、回り継ぎ手は、少なくとも３６０度の角度で回転するように構成され得る。別の形態において、回り継ぎ手は、３６０度未満の角度で回転するように構成され得る。空気送達導管の文脈において用いられる場合、構成要素のサブアセンブリは好適には、一対組み合わせの円筒導管を含む。使用時において、回り継ぎ手からの空気漏れはほとんど無い。
【０１９６】
タイ：タイは、引っ張りに抵抗するように設計された構造構成要素としてとられる。
【０１９７】
通気：（名詞）マスクまたは導管の内部の周囲空気への空気流れを可能にする構造であり、吐き出されたガスの臨床的に有効な洗い流しを可能にする。例えば、臨床的に有効な洗い流しにおいては、約１０リットル／分〜約１００リットル／分の流量がマスク設計および治療圧力に応じて用いられ得る。
【０１９８】
４．４．７  患者インターフェースに関連して用いられる用語
（表面の）曲率：サドル形状を有する表面の領域であり、１方向において上方に曲線状になり、異なる方向において下方に曲線状になり、負の曲率を持つと言われる。ドーム形状を有する表面の領域であり、２つの主要方向において同一方向に曲線状になり、正の曲率を持つと言われる。平坦な表面は、ゼロ曲率を持つものとしてとられる。
【０１９９】
フロッピー：以下のうち１つ以上を有する材料、構造または複合体の質。
・指圧力に容易に適合する。
・自重を支持させると、自身の形状を保持できなくなる。
・非剛性。
・僅かな力で弾性的に伸縮または屈曲させることができる。
【０２００】
「フロッピーである」とは、関連付けられた方向を持ち得るため、特定の材料、構造または複合体は、第１の方向においてはフロッピーであり得るが、第２の方向（例えば、第１の方向に直交する第２の方向）においては硬いかまたは剛性であり得る。
【０２０１】
弾力性：１秒などの比較的短期間内において、実質的に弾性変形することができ、負荷を受けるとそのエネルギーの実質的に全てを解放させることができる。
【０２０２】
剛性：患者インターフェースを患者気道への入口に対して密閉関係を持つように設定および維持する際に遭遇することの多い指圧力および／または引っ張りまたは負荷に屈して容易に変形しないこと。
【０２０３】
半剛性：呼吸圧力治療時において付加されることの多い機械的力下において実質的に歪まないような充分な剛性のあることを意味する。
【０２０４】
４．４．８  曲率
本技術による製品は、１つ以上の実際の三次元構造（例えば、マスククッションまたはインペラ）を含み得る。三次元構造は、二次元表面によって制限され得る。これらの表面は、関連付けられた表面の方向、位置、機能または他の何らかの特性を記述するためのラベルを用いて区別され得る。例えば、構造は、前表面、後表面、内面及び外面のうち１つ以上を含み得る。別の例において、クッション構造は、顔を含む（例えば、外側の）表面と、別個の顔を含まない（例えば、下側または内側の）表面を含み得る。別の例において、構造は、第１の表面および第２の表面を含み得る。
【０２０５】
三次元構造の形状および表面の説明を容易にするために、構造の表面を通じた点ｐにおける断面について先ず検討する。図３Ｂ〜図３Ｆを参照されたい。図３Ｂ〜図３Ｆは、表面上における点ｐにおける断面例と、その結果得られる平面曲線の例とを示す。図３Ｂ〜図３Ｆは、ｐにおける外向き法線ベクトルも示す。ｐにおける外向き法線ベクトルは、表面から離隔方向に延びる。いくつかの例において、架空の小さな人が表面上に直立している観点から、この表面について説明する。
【０２０６】
４．４．８．１  一次元における曲率
ｐにおける平面曲線の曲率は、符号（例えば、正、負）および大きさ（例えば、ｐにおいて曲線に接する円形の１／半径）を持つものとして記述され得る。
【０２０７】
正の曲率：ｐにおける曲線が外向き法線に向かって曲がる場合、その点における曲率は、正の値を持つものとしてとられる（この架空の小さな人が点ｐから立ち去る場合、上り坂を歩行する必要がある）。図３Ｂ（図３Ｃと比較して比較的大きな正の曲率）および図３Ｃ（図３Ｂと比較して比較的小さな正の曲率）を参照されたい。このような曲線を、凹状と呼ぶことが多い。
【０２０８】
ゼロ曲率：ｐにおける曲線が直線である場合、曲率はゼロとしてとられる（この架空の小さな人が点ｐから立ち去る場合、上向きでも下向きでもない水平面を歩行することができる）。図３Ｄを参照されたい。
【０２０９】
負の曲率：ｐにおける曲線が外向き法線から離隔方向に曲がる場合、その点およびその方向における曲率は、負の値を持つものとしてとられる（この架空の小さな人が点ｐから立ち去る場合、下り坂を歩行する必要がある）。図３Ｅ（図３Ｆと比較して比較的小さな負の曲率）および図３Ｆ（図３Ｅと比較して比較的大きな負の曲率）を参照されたい。このような曲線は、凸状と呼ばれることが多い。
【０２１０】
４．４．８．２  二次元表面の曲率
本技術による二次元表面上の所与の点における形状の記述は、複数の垂直断面を含み得る。複数の断面は、外向き法線（「法平面」）を含む面において表面を切断し得、各断面は、異なる方向においてとられ得る。各断面の結果、対応する曲率を有する平面曲線が得られる。その点における異なる曲率は、同一符号または異なる符号を持ち得る。その点における曲率はそれぞれ、（例えば、比較的小さな）大きさを有する。図３Ｂ〜図３Ｆ中の平面曲線は、特定の点におけるこのような複数の断面の例であり得る。
【０２１１】
主要な曲率および方向：曲線の曲率が最大値および最小値をとる法平面の方向を主要な方向と呼ぶ。図３Ｂ〜図３Ｆの例において、最大曲率は図３Ｂにおいて発生し、最小は図３Ｆにおいて発生するため、図３Ｂおよび図３Ｆは、主要な方向における断面である。ｐにおける主要な曲率は、主要な方向における曲率である。
【０２１２】
表面の領域：表面上の１組の点。領域内のこの１組の点は、類似の特性（例えば、曲率または符号）を持ち得る。
【０２１３】
サドル領域：（上り坂または下り坂を歩行し得る架空の人が向く方向に応じて）各点において主要な曲率が反対の符号（すなわち、片方が正の符号および他方が負の符号）を有する領域。
【０２１４】
ドーム領域：各点において主要な曲率が同一符号（双方とも正（「凹状ドーム」）または双方とも負（「凸状ドーム」））を持つ領域。
【０２１５】
円筒領域：１つの主要な曲率がゼロ（または例えば製造交差内のゼロ）をとり、他方の主要な曲率が非ゼロである領域。
【０２１６】
平面領域：主要な曲率双方がゼロであるか（または例えば製造交差内のゼロである）表面の領域。
【０２１７】
表面の縁部：表面の境界または限界。
【０２１８】
経路：本技術の特定の形態において、「経路」は、数学的‐トポロジー的意味合いにおける経路（例えば、表面上におけるｆ（０）からｆ（１）への連続空間曲線）を意味するものとしてとられる。本技術の特定の形態において、「経路」は、例えば表面上の１組の点を含むルートまたはコースとして記述され得る。（架空の人の経路は、表面上において歩行する場所であり、庭の経路に類似する）。
【０２１９】
経路長さ：本技術の特定の形態において、「経路長さ」とは、表面に沿ったｆ（０）からｆ（１）への距離（すなわち、表面上の経路に沿った距離）を指すものとしてとられる。表面上の２つの点間において１つよりも多くの経路があり得、このような経路は、異なる経路長さを持ち得る。（架空の人の経路長さは、表面上を経路に沿って歩行する距離である）。
【０２２０】
直線距離：直線距離は、表面上の２つの点間の距離であるが、表面は考慮しない。平面領域上において、表面上の２つの点間の直線距離と同一の経路長さを有する表縁上の距離がある。非平面表面上において、２つの点間の直線距離と同一の経路長さを有する経路は存在し得ない。（架空の人にとって、直線距離は、「カラスが飛ぶ」距離に対応する）。
【０２２１】
４．５  他の注意事項
本特許文書の開示の一部は、著作権保護が与えられる内容を含む。著作権所有者は、何者かが本特許文書または本特許開示をファックスにより再生しても、特許庁の特許ファイルまたは記録に記載されるものであれば目的のものであれば異論は無いが、その他の目的については全ての著作権を保持する。
【０２２２】
他に文脈から明確に分かる場合および一定の範囲の値が提供されていない限り、下限の単位の１／１０、当該範囲の上限と下限の間、および記載の範囲の他の任意の記載の値または介入値に対する各介入値は本技術に包含されることが理解される。介入範囲中に独立的に含まれるこれらの介入範囲の上限および下限が記載の範囲における制限を特に超えた場合も、本技術に包含される。記載の範囲がこれらの制限のうち１つまたは双方を含む場合、これらの記載の制限のいずれかまたは双方を超える範囲も、本技術に包含される。
【０２２３】
さらに、本明細書中に値（単数または複数）が本技術の一部として実行される場合、他に明記無き限り、このような値が近似され得、実際的な技術的実行が許容または要求する範囲まで任意の適切な有効桁までこのような値を用いることが可能であると理解される。
【０２２４】
他に明記しない限り、本明細書中の全ての技術用語および科学用語は、本技術が属する分野の当業者が一般的に理解するような意味と同じ意味を持つ。本明細書中に記載の方法および材料に類似するかまたは等しい任意の方法および材料を本技術の実践または試験において用いることが可能であるが、限られた数の例示的方法および材料が本明細書中に記載される。
【０２２５】
特定の材料が構成要素の構築に好適に用いられるものとして記載されているが、特性が類似する明白な代替的材料が代替物として用いられる。さらに、それとは反対に記載無き限り、本明細書中に記載される任意および全ての構成要素は、製造可能なものとして理解されるため、集合的にまたは別個に製造され得る。
【０２２６】
本明細書中及び添付の特許請求の範囲において用いられるように、単数形である「ａ」、「ａｎ」および「ｔｈｅ」は、文脈から明らかにそうでないことが示されない限り、その複数の均等物を含む点に留意されたい。
【０２２７】
本明細書中に記載される公開文献は全て、これらの公開文献の対象である方法および／または材料の開示および記載、参考のために援用される。本明細書中に記載の公開文献は、本出願の出願日前のその開示内容のみのために提供するものである。本明細書中のいずれの内容も、本技術が先行特許のためにこのような公開文献に先行していない、認めるものと解釈されるべきではない。さらに、記載の公開文献の日付は、実際の公開文献の日付と異なる場合があり、個別に確認が必要であり得る。
【０２２８】
詳細には、「ｃｏｍｐｒｉｓｅｓ」および「ｃｏｍｐｒｉｓｉｎｇ」という用語は、要素、構成要素またはステップを非排他的な意味合いで指すものとして解釈されるべきであり、記載の要素、構成要素はステップが明記されていない他の要素、構成要素またはステップと共に存在、利用または結合され得ることを示す。
【０２２９】
詳細な説明において用いられる見出しは、読者の便宜のためのものであり、本開示または特許請求の範囲全体において見受けられる内容を制限するために用いられるべきではない。これらの見出しは、特許請求の範囲または特許請求の範囲の制限の範囲の解釈において用いられるべきではない。
【０２３０】
本明細書中の技術について、特定の実施形態を参照して述べてきたが、これらの実施形態は本技術の原理および用途を例示したものに過ぎないことが理解されるべきである。いくつかの場合において、用語および記号は、本技術の実施に不要な特定の詳細を示し得る。例えば、「第１の」および「第２の」（など）という用語が用いられるが、他に明記無き限り、これらの用語は任意の順序を示すことを意図しておらず、別個の要素を区別するために用いられる。さらに、本方法におけるプロセスステップについての記載または例示を順序付けて述べる場合があるが、このような順序は不要である。当業者であれば、このような順序が変更可能でありかつ／またはその様態を同時にまたはさらに同期的に行うことが可能であることを認識する。
【０２３１】
よって、本技術の意図および範囲から逸脱することなく、例示的な例において多数の変更例が可能であり、また、他の配置構成が考案され得ることが理解されるべきである。
【符号の説明】
【０２３２】
１０００  患者
３０００  患者インターフェース
３１００  密閉形成構造
３２００  プレナムチャンバ
３３００  位置決めおよび安定化構造
３４００  通気
３６００  接続ポート
３７００  前額支持部
４０００  ＲＰＴデバイス
４１７０  空気回路
６０００  ヘッドギア
６００２  ストラップ
６００２ａ  ストラップ
６００２ｂ  ストラップ
６００４  第１の可撓性材料
６００６  長細縁部
６００７  第２の長細縁部
６００８  第２の可撓性材料
６０１０  Ｖ字型折り目
６０１２  第３の可撓性材料
６０１４  第４の可撓性材料
６０１６  接続部
６０１８  穴
６０２０  ストラップ
６０２２  呼吸マスク
６０２６  別の第２の可撓性材料
６０２８  接着フィルム
６０３０  メッシュ材料
６０３２  第１の可撓性ストラップ部分
６０３４  第２の可撓性ストラップ部分
６０３６  交差
６０３８  第１の層
６０４０  第２の層
６０４２  第３の層
６０４４  接着部
６０４６  Ｙ字形状の外形
６０４８  フック材料
６０５０  弾性材料
６０５２  ストラップ部
６０５４  比較的大きな開口部
６０５６  比較的密な織り方
６０５８  中間開口部
６０６０  第１の縁部
６０６２  第２の縁部
６０６４  第３の縁部
６０６６  第４の縁部
６０６８  左クラウンピース
６０７０  右クラウンピース
６０７２  上クラウンピース
６０７４  左下ストラップピース
６０７６  左上ストラップピース
６０７８  右下ストラップピース
６０８０  右上ストラップピース
６０８２  接合部
６０８２ａ  上側接合部
６０８２ｂ  下側接合部
６０８４  余分な材料
６０８６  縁部
６０８８  開口部
６０９０  最終接合部
７０００  中間ストラップ配置
７００２  実質的にＴ字型部分
７００４  ループ
【図１Ａ】
2018520801.tif 000003
【図１Ｂ】
2018520801.tif 000004
2018520801.tif 000005
【図１Ｃ】
2018520801.tif 000006
【図２Ａ】
2018520801.tif 000007
【図２Ｂ】
2018520801.tif 000008
【図２Ｃ】
2018520801.tif 000009
【図２Ｄ】
2018520801.tif 000010
【図２Ｅ】
2018520801.tif 000011
【図２Ｆ】
2018520801.tif 000012
【図２Ｇ】
2018520801.tif 000013
【図２Ｈ】
2018520801.tif 000014
【図２Ｉ】
2018520801.tif 000015
【図２Ｊ】
2018520801.tif 000016
【図２Ｋ】
2018520801.tif 000017
【図２Ｌ】
2018520801.tif 000018
【図３Ａ】
2018520801.tif 000019
【図３Ｂ】
2018520801.tif 000020
【図３Ｃ】
2018520801.tif 000021
【図３Ｄ】
2018520801.tif 000022
【図３Ｅ】
2018520801.tif 000023
【図３Ｆ】
2018520801.tif 000024
【図３Ｇ】
2018520801.tif 000025
【図３Ｈ】
2018520801.tif 000026
【図４Ａ】
2018520801.tif 000027
【図４Ｂ】
2018520801.tif 000028
【図４Ｃ】
2018520801.tif 000029
【図４Ｄ】
2018520801.tif 000030
【図４Ｅ】
2018520801.tif 000031
【図４Ｆ】
2018520801.tif 000032
【図４Ｇ】
2018520801.tif 000033
【図４Ｈ】
2018520801.tif 000034
【図４Ｉ】
2018520801.tif 000035
【図４Ｊ】
2018520801.tif 000036
【図４Ｋ】
2018520801.tif 000037
【図４Ｌ】
2018520801.tif 000038
【図４Ｍ】
2018520801.tif 000039
【図４Ｎ】
2018520801.tif 000040
【図４Ｏ】
2018520801.tif 000041
【図４Ｐ】
2018520801.tif 000042
【図４Ｑ】
2018520801.tif 000043
【図４Ｒ】
2018520801.tif 000044
【図４Ｓ】
2018520801.tif 000045
【図４Ｔ】
2018520801.tif 000046
【図４Ｕ】
2018520801.tif 000047
【図４Ｖ】
2018520801.tif 000048
【図４Ｗ】
2018520801.tif 000049
【図４Ｘ】
2018520801.tif 000050
【図４Ｙ】
2018520801.tif 000051
【図５Ａ】
2018520801.tif 000052
【図５Ｂ】
2018520801.tif 000053
【図５Ｃ】
2018520801.tif 000054
【図５Ｄ】
2018520801.tif 000055
【図５Ｅ】
2018520801.tif 000056
【図５Ｆ】
2018520801.tif 000057
【図５Ｇ】
2018520801.tif 000058
【図５Ｈ】
2018520801.tif 000059
【図５Ｉ】
2018520801.tif 000060
【図５Ｊ】
2018520801.tif 000061
【図５Ｋ】
2018520801.tif 000062
【図５Ｌ】
2018520801.tif 000063
【図５Ｍ】
2018520801.tif 000064
【図５Ｎ】
2018520801.tif 000065
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
長細縁部を備えた第１の可撓性材料のストラップと、
前記長細縁部の周囲に折り畳まれかつ前記長細縁部に沿って延びる第２の可撓性材料であって、前記第２の可撓性材料は前記第１の可撓性材料より高レベルの弾性を有する材料である、第２の可撓性材料と、
を含む、呼吸マスク用のヘッドギアアセンブリ。
【請求項２】
前記第２の可撓性材料は、Ｖ字形状に折り畳まれる、請求項１に記載のヘッドギアアセンブリ。
【請求項３】
前記第１の可撓性材料は、共に積層されかつ接着された第３の可撓性材料の層および第４の可撓性材料の層を含む、請求項１または２に記載のヘッドギアアセンブリ。
【請求項４】
前記第２の可撓性材料は、前記積層された層の縁部が被覆されるように、前記第３の可撓性材料および前記第４の可撓性材料を被覆する、請求項３に記載のヘッドギアアセンブリ。
【請求項５】
前記第３の可撓性材料と前記第４の可撓性材料との間の接着フィルムをさらに含む、請求項３に記載のヘッドギアアセンブリ。
【請求項６】
前記第１の可撓性材料は、織物材料を含む、請求項１〜５のいずれか一項に記載のヘッドギアアセンブリ。
【請求項７】
前記第１の可撓性材料はスペーサ織物である、請求項１〜６のいずれか一項に記載のヘッドギアアセンブリ。
【請求項８】
前記長細縁部は、丸みのある形状である、請求項１〜７のいずれか一項に記載のヘッドギアアセンブリ。
【請求項９】
前記ストラップは、前記長細縁部と共に前記ストラップの幅を規定する第２の長細縁部を含む、請求項１〜８のいずれか一項に記載のヘッドギアアセンブリ。
【請求項１０】
前記第２の長細縁部の周囲に折り畳まれかつ前記第２の長細縁部に沿って延びる第５の可撓性材料をさらに含む、請求項９に記載のヘッドギアアセンブリ。
【請求項１１】
前記第２の可撓性材料および前記第５の可撓性材料は、同一の材料である、請求項１０に記載のヘッドギアアセンブリ。
【請求項１２】
前記第２の可撓性材料は、前記ストラップの第１の側部上の幅にわたって延び、前記第２の長細縁部の周囲において前記第２の長細縁部に沿って延びる、請求項９に記載のヘッドギアアセンブリ。
【請求項１３】
前記第２の可撓性材料は、前記ストラップの第２の側部上の幅全体を被覆しない、請求項１２に記載のヘッドギアアセンブリ。
【請求項１４】
前記第２の可撓性材料は、前記ストラップへ取り付けられる、請求項１〜１３のいずれか一項に記載のヘッドギアアセンブリ。
【請求項１５】
前記第２の可撓性材料は、接着により前記ストラップの２つの側部上へ取り付けられる、請求項１４に記載のヘッドギアアセンブリ。
【請求項１６】
前記ストラップは、呼吸マスク用の接続部を含む、請求項１〜１５のいずれか一項に記載のヘッドギアアセンブリ。
【請求項１７】
前記接続部は、前記呼吸マスクが通過するように構成された穴を含む、請求項１６に記載のヘッドギアアセンブリ。
【請求項１８】
前記穴は、前記呼吸マスクの一部の外周の周囲に延びるように構成される、請求項１７に記載のヘッドギアアセンブリ。
【請求項１９】
前記穴の周囲を包囲するように折り畳まれかつ前記穴の周囲に沿って延びる第６の可撓性材料をさらに含む、請求項１７に記載のヘッドギアアセンブリ。
【請求項２０】
前記第２の可撓性材料および前記第６の可撓性材料は、同一の材料である、請求項１９に記載のヘッドギアアセンブリ。
【請求項２１】
呼吸ガスを加圧して患者へ送達するための患者インターフェースであって、呼吸マスクと、請求項１〜２０のいずれか一項に記載のヘッドギアアセンブリとを含む、患者インターフェース。
【請求項２２】
ヘッドギアアセンブリであって：
第１の端部を備えた第１の可撓性ストラップ部分と；
ストラップを形成するように前記第１の端部へ取り付けられるとともに前記第１の端部に対して固定された第２の端部を備えた第２の可撓性ストラップ部分と；
前記第１の端部と前記第２の端部との間の取付部を被覆する被覆材料と、
を含む、ヘッドギアアセンブリ。
【請求項２３】
前記第１の可撓性ストラップ部分および前記第２の可撓性ストラップ部分は、前記ストラップの長細縁部を規定し、前記被覆材料は、前記長細縁部に沿って前記長細縁部上に折り畳まれる、請求項２２に記載のヘッドギアアセンブリ。
【請求項２４】
前記第１の可撓性ストラップ部分および前記第２の可撓性ストラップ部分は、前記ストラップの長細縁部を規定し、前記第１の端部および前記第２の端部は、前記長細縁部を横切る短縁部を規定し、前記被覆材料は、前記短縁部のうち少なくとも１つを被覆する、請求項２２または２３に記載のヘッドギアアセンブリ。
【請求項２５】
前記被覆材料は、前記少なくとも１つの短縁部の長さ全体を被覆する、請求項２４に記載のヘッドギアアセンブリ。
【請求項２６】
前記第１の可撓性ストラップ部分および前記第２の可撓性ストラップ部分は、前記ストラップの長細縁部を規定し、前記第１の端部および前記第２の端部は、前記長細縁部を横切る短縁部を規定し、前記被覆材料は、前記短縁部のうち少なくとも１つを被覆し、前記被覆材料は、前記長細縁部に沿って前記長細縁部上に折り畳まれる、請求項２２〜２５のいずれか一項に記載のヘッドギアアセンブリ。
【請求項２７】
前記被覆材料は、前記少なくとも１つの短縁部の長さ全体を被覆する、請求項２６に記載のヘッドギアアセンブリ。
【請求項２８】
前記第１の可撓性ストラップ部分は、前記第２の可撓性ストラップ部分よりも高い伸縮性を有するように構成される、請求項２２〜２７のいずれか一項に記載のヘッドギアアセンブリ。
【請求項２９】
前記第１の可撓性ストラップ部分は弾性であり、前記第２の可撓性ストラップ部分は非弾性である、請求項２２〜２８のいずれか一項に記載のヘッドギアアセンブリ。
【請求項３０】
前記第１の可撓性ストラップ部分は、スペーサ織物を含む、請求項２２〜２９のいずれか一項に記載のヘッドギアアセンブリ。
【請求項３１】
前記第２の可撓性ストラップ部分は、前記第２の端部において材料の２つの層を含み、前記第１の端部は、前記２つの層間に挿入および接続される、請求項２２〜３０のいずれか一項に記載のヘッドギアアセンブリ。
【請求項３２】
前記材料の２つの層のうち１つは、面ファスナの第１の半分を含む、請求項３１に記載のヘッドギアアセンブリ。
【請求項３３】
前記第２の可撓性ストラップ部分は、前記第２の可撓性ストラップ部分を折り曲げて前記面ファスナの前記第１の半分を前記面ファスナの前記第２の半分へ取り付けることができるように構成された面ファスナの第２の半分をさらに含む、請求項３２に記載のヘッドギアアセンブリ。
【請求項３４】
前記材料の２つの層は、前記第２の端部から離隔方向に前記第１の端部を超えて接続される、請求項３１に記載のヘッドギアアセンブリ。
【請求項３５】
前記２つの層は、前記第１の端部が挿入されるＹ字形状を形成する、請求項３４に記載のヘッドギアアセンブリ。
【請求項３６】
前記材料の２つの層は、接着部の層により相互に接続され、前記第１の端部へ接続される、請求項３１に記載のヘッドギアアセンブリ。
【請求項３７】
前記ストラップは、交差してＹ字形状の外形を形成する３本の脚部を含む、請求項２２〜３６のいずれか一項に記載のヘッドギアアセンブリ。
【請求項３８】
前記ストラップへ解放可能に接続された第２のストラップをさらに含む、請求項２２〜３７のいずれか一項に記載のヘッドギアアセンブリ。
【請求項３９】
前記第２のストラップは、呼吸マスク用の接続部を含む、請求項３８に記載のヘッドギアアセンブリ。
【請求項４０】
前記接続部は、前記呼吸マスクが通過するように構成された穴を含む、請求項３９に記載のヘッドギアアセンブリ。
【請求項４１】
前記穴は、前記呼吸マスクの一部の外周の周囲に延びるように構成される、請求項４０に記載のヘッドギアアセンブリ。
【請求項４２】
呼吸ガスを加圧して患者へ送達するための患者インターフェースであって、呼吸マスクと、請求項２２〜４１のいずれか一項に記載のヘッドギアアセンブリとを含む、患者インターフェース。
【請求項４３】
ヘッドギアアセンブリの製造方法であって：
第１の織物から構成されかつ第１の縁部を有する第１のストラップ部を設けることと；
第２の織物から構成されかつ第２の縁部を有する第２のストラップ部を設けることと；
接合部において前記第１の縁部を前記第２の縁部へ接合し、それによって前記１の縁部と前記第２の縁部が互いに対して固定されることと；
前記接合部を第３の織物のストリップにより被覆することと、
を含む、方法。
【請求項４４】
前記接合部は、長さおよび２つの端部を有し、前記ストリップは前記長さを被覆する、請求項４３に記載の方法。
【請求項４５】
前記ストリップは、前記長さの２つの側部を被覆する、請求項４４に記載の方法。
【請求項４６】
前記ストリップは、前記接合部の周囲に巻かれ、前記２つの端部を被覆する、請求項４４または４５に記載の方法。
【請求項４７】
前記接合部は、縫製された接合部である、請求項４３〜４６のいずれか一項に記載の方法。
【請求項４８】
前記第１のストラップ部は、前記接合部を交差する第３の縁部を有し、前記第２のストラップ部は、実質的に前記第３の縁部において前記接合部と交差する第４の縁部を有し、前記方法は、前記第３の縁部および前記第４の縁部に沿って前記第３の縁部および前記第４の縁部の周囲に延びるように前記第３の織物の第２のストリップを巻くことをさらに含む、請求項４４〜４７のいずれか一項に記載の方法。
【請求項４９】
前記ストリップは、前記第２のストリップによって被覆された少なくとも１つの端部を含む、請求項４８に記載の方法。
【請求項５０】
前記第２のストリップにＶ字型の折り目を付加することをさらに含む、請求項４８または４９に記載の方法。
【請求項５１】
前記第１のストラップ部は第３の縁部を有し；
前記第２の織物から構成されかつ第４の縁部を有する第３のストラップ部を設けることと；
前記第３の縁部および前記第４の縁部を第２の接合部において接合することと；
前記第２の接合部を前記第３の織物の別のストリップで被覆することと、
をさらに含む、請求項４３〜５０のいずれか一項に記載の方法。
【国際調査報告】
2018520801.tif 000066
2018520801.tif 000067
2018520801.tif 000068
2018520801.tif 000069